(57)【要約】【課題】本発明は周期的フィードバックレポートを伝送する方法及び装置を提供する。【解決手段】該方法は、伝送する必要がある周期的フィードバックレポート及び伝送ブロックの対応するデータ情報に対してそれぞれコーディングするステップと、ターゲット長さに基づいて相応するコーディング後の情報をインターセプトするステップと、一つの伝送ブロックが単階層或は複数階層に対応される時、伝送ブロックで伝送待機中の単階層或は複数階層でのコーディング後の情報をチャネルインターリービングし、インターリービング後の情報を物理アップリンク共有チャネルPUSCHの対応する階層で伝送するステップを含む。ここで、周期的フィードバックレポートは、ランク指示情報RIと第1プリコーディング指示情報PMI-1のジョイントコーディングインデックス、RIとプリコーディングタイプ指示情報PTIのジョイントコーディングインデックス、PMI-1のうち一つを含む。本発明によると、PUSCHで周期的フィードバックレポートを伝送できない問題を解決して、システムの最適化が実現できる。【選択図】図３
2013543684.tif 000002
【特許請求の範囲】
【請求項１】
伝送する必要がある周期的フィードバックレポート及び伝送ブロックの対応するデータ情報に対してそれぞれコーディングするステップと、
ターゲットの長さに基づいて相応するコーディング後の情報をインターセプトするステップと、
一つの伝送ブロックが単階層或は複数階層に対応される時、前記伝送ブロックで伝送待機中の単階層或は複数階層上の前記コーディング後の情報をチャネルインターリービングし、インターリービング後の情報を物理アップリンク共有チャネルPUSCHの対応する階層で伝送するステップとを含み、
ここで、前記周期的フィードバックレポートは、ランク指示情報RIと第１プリコーディング指示情報PMI-1のジョイントコーディングインデックス、前記RIとプリコーディングタイプ指示情報PTIのジョイントコーディングインデックス、前記PMI-1のうち一つを含むことを特徴とする周期的フィードバックレポートを伝送する方法。
【請求項２】
前記伝送ブロックで伝送待機中の単階層或は複数階層上の前記コーディング後の情報をチャネルインターリービングし、インターリービング後の情報を物理アップリンク共有チャネルPUSCHの対応する階層で伝送するステップが、
伝送する周期的フィードバックレポートを一つのサブフレームの二つのタイムスロットにマッピングし、前記周期的フィードバックレポートは一つのサブフレームの特定位置の直交周波数分割多重OFDMシンボルにマッピングされ、ここで、前記特定位置OFDMは、復調基準信号の所在OFDMシンボルと一つのOFDMシンボルを間隔する隣接するOFDMシンボルを指すステップを含むことを特徴とする請求項１に記載の方法。
【請求項３】
前記単階層或は複数階層上の前記コーディング後の情報が、周期的フィードバックレポートのコーディング後の情報、データ情報のコーディング後の情報と周期的フィードバックレポートのコーディング後の情報の組み合わせ、のうち一つを含むことを特徴とする請求項１に記載の方法。
【請求項４】
前記伝送する必要がある周期的フィードバックレポート及び伝送ブロックの対応するデータ情報に対してそれぞれコーディングするステップが、
伝送する必要がある周期的フィードバックレポートを確定し、
前記周期的フィードバックレポートを伝送する伝送ブロックを選択し、
確定した前記周期的フィードバックレポート及び選択した前記伝送ブロックの対応するデータ情報に対してそれぞれコーディングするステップを含み、
ここで、前記伝送ブロックは現在のアップリンクチャネルが配置した伝送ブロックであり、前記伝送ブロックは一つ或は二つであり、各前記伝送ブロックでは全て対応するデータ情報があることを特徴とする請求項１に記載の方法。
【請求項５】
前記確定した前記周期的フィードバックレポート及び選択した前記伝送ブロック情報に対してそれぞれコーディングした後、前記方法は、前記周期的フィードバックレポートのコーディング後の情報と前記伝送ブロックの対応するデータのコーディング後の情報を変調シンボルの形式で周期的フィードバックレポート論理ユニットとデータ情報論理ユニットを生成するステップを更に含み、
前記伝送ブロックで伝送待機中の単階層或は複数階層上のコーディング後の情報をチャネルインターリービングするステップは、各前記伝送ブロック上の前記周期的フィードバックレポート論理ユニットと前記データ情報論理ユニットをチャネルインターリービングして、制御とデータ情報ビットシーケンスを得るステップを含むことを特徴とする請求項４に記載の方法。
【請求項６】
前記インターリービング後の情報をPUSCHの対応する階層で伝送するステップが、
もし選択した前記伝送ブロックが一つであれば、前記伝送ブロック上の制御とデータ情報ビットシーケンスを前記PUSCHの対応する階層で伝送し、
もし選択した前記伝送ブロックが二つであれば、一つ目の伝送ブロック上の制御とデータ情報ビットシーケンスを前記PUSCHで前記一つ目の伝送ブロックの対応する階層で伝送し、二つ目の伝送ブロック上の制御とデータ情報ビットシーケンスを前記PUSCHで前記二つ目の伝送ブロックの対応する階層で伝送するステップを含むことを特徴とする請求項５に記載の方法。
【請求項７】
前記の各前記伝送ブロック上の周期的フィードバックレポート論理ユニットとデータ情報論理ユニットをチャネルインターリービングして、制御とデータ情報ビットシーケンスを得るステップが、
前記伝送ブロックがPUSCHで伝送される時の対応する伝送階層の数が１である場合、前記周期的レポート論理ユニットと前記データ情報論理ユニットをチャネルインターリービングして、制御とデータ情報ビットシーケンスを得るステップを含むことを特徴とする請求項５に記載の方法。
【請求項８】
前記周期的レポート論理ユニットと前記データ情報論理ユニットをチャネルインターリービングして制御とデータ情報ビットシーケンスを得るステップが、
前記周期的レポート論理ユニットと前記データ情報論理ユニットの総数に基づいて一つの仮想行列を生成し、
前記仮想行列にデータを輸入する時、先ず前記周期的レポート論理ユニット中の要素を仮想行列の最後の行から始めて行数が逓減する順序に従って逐行に前記仮想行列の予定位置に輸入し、何れかの行に対して、予定位置の列において左側から右側への順序に従って輸入し、前記データ情報論理ユニット中の要素を前記仮想行列の第１行から始めて行数が逓増する順序に従って逐行に前記仮想行列に輸入し、何れかの行に対して、左側から右側への順序に従って、もう前記周期的レポート論理ユニット中の要素が輸入された位置を除いた全ての位置に輸入し、
前記仮想行列中のデータを読み出す時、前記仮想行列の第１列から始めて逐列に該行列中の要素を読み出し、また毎列に対して全部行数が逓増する順序に従って読み出し、各要素に対して全部ビットシーケンスの方式によって読み出し、最終、制御とデータ情報ビットシーケンスを得るステップを含むことを特徴とする請求項７に記載の方法。
【請求項９】
2013543684.tif 000032
【請求項１０】
前記の各前記伝送ブロック上の周期的フィードバックレポート論理ユニットとデータ情報論理ユニットをチャネルインターリービングして、制御とデータ情報ビットシーケンスを得るステップが、
前記伝送ブロックがPUSCHで伝送される時の対応する伝送階層の数が２である時、前記周期的フィードバックレポート論理ユニットとデータ情報論理ユニットに基づいて周期的フィードバックレポート論理ブロックユニットとデータ情報論理ブロックユニットを生成し、
前記周期的フィードバックレポート論理ブロックユニットと前記データ情報論理ブロックユニットの総数に基づいて一つの仮想行列を生成し、
前記仮想行列にデータを輸入する時、先ず前記周期的フィードバックレポート論理ブロックユニット中の要素を仮想行列の最後の行から始めて行数が逓減する順序に従って逐行に仮想行列の予定位置に輸入し、その後、前記データ情報論理ブロックユニット中の要素を前記仮想行列の第１行から始めて行数が逓増する順序に従って逐行に前記仮想行列に輸入し、もう周期的フィードバックレポート論理ブロックユニット中の要素が輸入された位置はスキップし、
前記仮想行列中のデータを読み出す時、前記仮想行列の第１列から始めて逐列に該行列中の要素を読み出し、また毎列に対して全部行数が逓増する順序に従って読み出し、各要素に対して全部ビットシーケンスの方式によって読み出し、最終的に、制御とデータ情報ビットシーケンスを得るステップを含むことを特徴とする請求項５に記載の方法。
【請求項１１】
前記周期的フィードバックレポート論理ユニットとデータ情報論理ユニットに基づいて、周期的フィードバックレポート論理ブロックユニットとデータ情報論理ブロックユニットを生成するステップが、
前記周期的フィードバックレポート論理ユニット中の第１位置要素で一つ目の周期的フィードバックレポート論理サブユニットを構成し、前記周期的フィードバックレポート論理ユニット中の第２位置要素で二つ目の周期的フィードバックレポート論理サブユニットを構成し、
前記データ情報論理ユニット中の第１位置要素で一つ目のデータ情報論理サブユニットを構成し、前記データ情報論理ユニット中の第２位置要素で二つ目のデータ情報論理サブユニットを構成し、
一つ目と二つ目の前記周期的フィードバックレポート論理サブユニットで周期的フィードバックレポート論理ブロックユニットを構成し、一つ目と二つ目の前記データ情報論理サブユニットでデータ情報論理ブロックユニットを構成するステップを含むことを特徴とする請求項１０に記載の方法。
【請求項１２】
2013543684.tif 000033
【請求項１３】
前記の各前記伝送ブロック上の周期的フィードバックレポート論理ユニットとデータ情報論理ユニットをチャネルインターリービングして、制御とデータ情報ビットシーケンスを得るステップが、
前記伝送ブロックがPUSCHで伝送される時の対応する伝送階層の数が２である時、前記周期的フィードバックレポート論理ユニットと前記データ情報論理ユニットの総数に基づいて、一つの仮想行列を生成し、
前記仮想行列にデータを輸入する時、先ず前記周期的フィードバックレポート論理ユニット中の第１位置要素を前記仮想行列の最後から二つ目の行から始めて隔行に前記仮想行列の予定位置に輸入し、その後、前記データ情報論理ユニット中の第１位置要素を仮想行列の第１行から始めて隔行に前記仮想行列に輸入し、またもう前記周期的フィードバックレポート論理ユニット中の要素が輸入された位置はスキップする方式によって、前記周期的フィードバックレポート論理ユニットと前記データ情報論理ユニット中の第１位置要素を前記仮想行列に輸入し、
前記仮想行列中のデータを読み出す時、前記仮想行列の第１列から始めて逐列に行列中の要素を読み出し、毎列に対して全部行数が逓増する順序に従って読み出し、各要素に対してビットシーケンスの方式によって読み出し、最終、制御とデータ情報ビットシーケンスを得るステップを含むことを特徴とする請求項５に記載の方法。
【請求項１４】
2013543684.tif 000034
【請求項１５】
前記の各前記伝送ブロック上の周期的フィードバックレポート論理ユニットとデータ情報論理ユニットをチャネルインターリービングして、制御とデータ情報ビットシーケンスを得るステップが、
前記伝送ブロックがPUSCHで伝送される時の対応する伝送階層の数が２である場合、前記周期的フィードバックレポート論理ユニットとデータ情報論理ユニットの総数に基づいて二つの仮想行列を生成し、それぞれ第１仮想行列と第２仮想行列であり、
前記一つ目の仮想行列にデータを輸入する時、先ず前記周期的フィードバックレポート論理ユニット中の第１位置要素を前記第１仮想行列の最後の行から始めて行数が逓減する順序に従って逐行に前記一つ目の仮想行列の予定位置に輸入し、その後、前記データ情報論理ユニット中の第１位置要素を前記第１仮想行列の第１行から始めて行数が逓増する順序に従って逐行に前記第１仮想行列に輸入し、もう前記周期的フィードバックレポート論理ユニット中の要素が輸入された位置はスキップし、
前記二つ目の仮想行列にデータを輸入する時、先ず前記周期的フィードバックレポート論理ユニット中の第２位置要素を前記第２仮想行列の最後の行から始めて行数が逓減する順序に従って逐行に前記二つ目の仮想行列の予定位置に輸入し、その後、前記データ情報論理ユニット中の第２位置要素を前記第２仮想行列の第１行から始めて行数が逓増する順序に従って逐行に前記第２仮想行列に輸入し、もう周期的フィードバックレポート論理ユニット中の要素が輸入された位置はスキップし、
前記第１仮想行列と前記第２仮想行列中のデータを読み出す時、各仮想行列に対して前記各仮想行列の第１列から始めて逐列に行列中の要素を読み出し、毎列に対して全部行数が逓増する順序に従って読み出し、読み出した要素において、前記一つ目の仮想行列で読み出した要素は制御とデータ情報論理ユニット中の第１位置要素を構成し、前記二つ目の仮想行列で読み出した要素は制御とデータ情報論理ユニット中の第２位置要素を構成し、各要素に対してビットシーケンスの方式によって読み出し、最終、制御とデータ情報ビットシーケンスを得るステップを含むことを特徴とする請求項５に記載の方法。
【請求項１６】
2013543684.tif 000035
【請求項１７】
前記第１位置要素と前記第２位置要素は、
前記第１位置要素は、対応する論理ユニット中の前半部分要素を指し、前記第２位置要素は、前記対応する論理ユニット中の後半部分要素を指す、
前記第１位置要素は、対応する論理ユニット中の後半部分要素を指し、前記第２位置要素は、前記対応する論理ユニット中の前半部分要素を指す、
対応する論理ユニット中の要素番号が０から始まる時、前記第１位置要素は、前記対応する論理ユニット中の偶数要素を指し、前記第２位置要素は、前記対応する論理ユニット中の奇数要素を指す、
対応する論理ユニット中の要素番号が１から始まる時、前記第１位置要素は、前記対応する論理ユニット中の奇数要素を指し、前記第２位置要素は、前記対応する論理ユニット中の偶数要素を指す、組み合わせのうち一つであることを特徴とする請求項１３又は１５に記載の方法。
【請求項１８】
伝送する必要がある周期的フィードバックレポート及び伝送ブロックが対応するデータ情報に対してそれぞれコーディングし、ターゲット長さに基づいて相応するコーディング後の情報をインターセプトするコーディングモジュールと、
一つの伝送ブロックが単階層或は複数階層に対応される時、前記伝送ブロックで伝送待機中の単階層或は複数階層上の前記コーディング後の情報をチャネルインターリービングし、インターリービング後の情報を物理アップリンク共有チャネルPUSCHの対応する階層で伝送する伝送モジュールとを含み、
ここで、前記周期的フィードバックレポートは、ランク指示情報RIと第１プリコーディング指示情報PMI-1のジョイントコーディングインデックス、前記RIとプリコーディングタイプ指示情報PTIのジョイントコーディングインデックス、前記PMI-1のうち一つを含むことを特徴とする周期的フィードバックレポートを伝送する装置。
【請求項１９】
前記伝送モジュールが、
伝送する周期的フィードバックレポートを一つのサブフレームの二つのタイムスロットにマッピングし、前記周期的フィードバックレポートは一つのサブフレームの特定位置の直交周波数分割多重OFDMシンボルにマッピングされ、前記特定位置OFDMは、復調基準信号の所在OFDMシンボルと一つのOFDMシンボルを間隔する隣接するOFDMシンボルを指すマッピングユニットを含むことを特徴とする請求項１８に記載の装置。
【請求項２０】
前記コーディングモジュールが、
伝送する必要がある周期的フィードバックレポートを確定する確定ユニットと、
前記周期的フィードバックレポートを伝送する伝送ブロックを選択する選択ユニットと、
前記確定した周期的フィードバックレポート及び選択した前記伝送ブロックが対応するデータ情報に対してそれぞれコーディングするコーディングユニットとを含み、
ここで、前記伝送ブロックは現在のアップリンクチャネルが配置した伝送ブロックであり、前記伝送ブロックは一つ或は二つであり、各前記伝送ブロックには全て対応するデータ情報があることを特徴とする請求項１８に記載の装置。
【請求項２１】
前記装置は、前記コーディングユニットがコーディングした後の前記周期的フィードバックレポートと前記伝送ブロックが対応するデータ情報を変調シンボルの形式で周期的フィードバックレポート論理ユニットとデータ情報論理ユニットを生成する生成ユニットを更に含み、
前記伝送モジュールは、各前記伝送ブロック上の前記生成ユニットが生成した前記周期的フィードバックレポート論理ユニットと前記データ情報論理ユニットをチャネルインターリービングして、制御とデータ情報ビットシーケンスを得るシーケンス取得ユニットを含むことを特徴とする請求項２０に記載の装置。
【請求項２２】
前記伝送モジュールが、
もし前記選択ユニットが選択した前記伝送ブロックが一つであれば、前記シーケンス取得ユニットが取得した前記伝送ブロック上の制御とデータ情報ビットシーケンスを前記PUSCHの対応する階層で伝送する第１伝送ユニットと、
もし前記選択ユニットが選択した前記伝送ブロックが二つであれば、前記シーケンス取得ユニットが取得した一つ目の伝送ブロック上の制御とデータ情報ビットシーケンスを前記PUSCHで前記一つ目の伝送ブロックの対応する階層で伝送し、前記シーケンス取得ユニットが取得した二つ目の伝送ブロック上の制御とデータ情報ビットシーケンスを前記PUSCHで前記二つ目の伝送ブロックの対応する階層で伝送する第２伝送ユニットとを含むことを特徴とする請求項２１に記載の装置。
【請求項２３】
前記シーケンス取得ユニットが、
前記伝送ブロックがPUSCHで伝送される時の対応する伝送階層の数が１である時、前記周期的レポート論理ユニットと前記データ情報論理ユニットをチャネルインターリービングして、制御とデータ情報ビットシーケンスを得るシーケンス取得サブユニットを含むことを特徴とする請求項２１に記載の装置。
【請求項２４】
前記シーケンス取得サブユニットが、
前記周期的レポート論理ユニットと前記データ情報論理ユニットの総数に基づいて一つの仮想行列を生成する第１行列生成サブユニットと、
前記第１行列生成サブユニットが生成した仮想行列にデータを輸入する時、先ず前記周期的レポート論理ユニット中の要素を仮想行列の最後の行から始めて行数が逓減する順序に従って逐行に前記仮想行列の予定位置に輸入し、何れかの行に対して、予定位置の列において左側から右側への順序に従って輸入し、前記データ情報論理ユニット中の要素を前記仮想行列の第１行から始めて行数が逓増する順序に従って逐行に前記仮想行列に輸入し、何れかの行に対して左側から右側への順序に従って、もう前記周期的レポート論理ユニット中の要素を輸入した位置を除いた全ての位置に輸入する第１データRead-inサブユニットと、
前記第１データRead-inサブユニットが前記仮想行列中に輸入したデータを読み出す時、前記仮想行列の第１列から始めて逐列に該行列中の要素を読み出し、毎列に対して全部行数が逓増する順序に従って読み出し、各要素に対して全部ビットシーケンスの方式によって読み出し、最終、制御とデータ情報ビットシーケンスを得る第１データRead-outサブユニットとを含むことを特徴とする請求項２３に記載の装置。
【請求項２５】
前記シーケンス取得ユニットが、
前記伝送ブロックがPUSCHで伝送される時の対応する伝送階層の数が２である時、前記周期的フィードバックレポート論理ユニットとデータ情報論理ユニットに基づいて周期的フィードバックレポート論理ブロックユニットとデータ情報論理ブロックユニットを生成し、前記周期的フィードバックレポート論理ブロックユニットと前記データ情報論理ブロックユニットの総数に基づいて、一つの仮想行列を生成する第２行列生成サブユニットと、
前記第２行列生成サブユニットが生成した前記仮想行列にデータを輸入する時、先ず前記周期的フィードバックレポート論理ブロックユニット中の要素を仮想行列の最後の行から始めて行数が逓減する順序に従って逐行に仮想行列の予定位置な輸入し、その後、前記データ情報論理ブロックユニット中の要素を前記仮想行列の第１行から始めて行数が逓増する順序に従って逐行に前記仮想行列に輸入し、もう前記周期的フィードバックレポート論理ブロックユニット中の要素が輸入された位置はスキップする第２データRead-inサブユニットと、
前記第２データRead-inサブユニットが前記仮想行列に輸入したデータを読み出す時、前記仮想行列の第１列から始めて逐列に該行列中の要素を読み出し、毎列に対して全部行数が逓増する順序に従って読み出し、各要素に対して全部ビットシーケンスの方式によって読み出し、最終、制御とデータ情報ビットシーケンスを得る第２データRead-outサブユニットとを含むことを特徴とする請求項２１に記載の装置。
【請求項２６】
前記第２行列生成サブユニットが、
前記周期的フィードバックレポート論理ユニット中の第１位置要素で一つ目の周期的フィードバックレポート論理サブユニットを構成し、前記周期的フィードバックレポート論理ユニット中の第２位置要素で二つ目の周期的フィードバックレポート論理サブユニットを構成し、前記データ情報論理ユニット中の第１位置要素で一つ目のデータ情報論理サブユニットを構成し、前記データ情報論理ユニット中の第２位置要素で二つ目のデータ情報論理サブユニットを構成する構成サブユニットと、
前記構成サブユニット中の一つ目と二つ目の周期的フィードバックレポート論理サブユニットで周期的フィードバックレポート論理ブロックユニットを構成し、前記構成サブユニット中の一つ目と二つ目のデータ情報論理サブユニットでデータ情報論理ブロックユニットを構成する論理ブロック構成サブユニットとを含むことを特徴とする請求項２１に記載の装置。
【請求項２７】
前記シーケンス取得ユニットが、
前記伝送ブロックがPUSCHで伝送される時の対応する伝送階層の数が２である時、前記周期的フィードバックレポート論理ユニットと前記データ情報論理ユニットの総数に基づいて一つの仮想行列を生成する第３行列生成サブユニットと、
前記第３行列生成サブユニットが生成した前記仮想行列にデータを輸入する時、先ず前記周期的フィードバックレポート論理ユニット中の第１位置要素を前記仮想行列の最後から二つ目の行から始めて隔行に前記仮想行列の予定位置に輸入し、その後、前記データ情報論理ユニット中の第１位置要素を仮想行列の第１行から始めて隔行に前記仮想行列に輸入し、もう前記周期的フィードバックレポート論理ユニット中の要素が輸入された位置はスキップする方式によって、前記周期的フィードバックレポート論理ユニットと前記データ情報論理ユニット中の第１位置要素を前記仮想行列に輸入する第３データRead-inサブユニットと、
前記第３データRead-inサブユニットが前記仮想行列中に輸入したデータを読み出す時、前記仮想行列の第１列から始めて逐列に行列中の要素を読み出し、毎列に対して全部行数が逓増する順序に従って読み出し、各要素に対してビットシーケンスの方式によって読み出し、最終、制御とデータ情報ビットシーケンスを得る第３データRead-outサブユニットとを含むことを特徴とする請求項２１に記載の装置。
【請求項２８】
前記シーケンス取得ユニットが、
前記伝送ブロックがPUSCHで伝送される時の対応する伝送階層の数が２である時、前記周期的フィードバックレポート論理ユニットとデータ情報論理ユニットの総数に基づいて二つの仮想行列を生成し、それぞれ第１仮想行列と第２仮想行列である第４行列生成サブユニットと、
前記一つ目の仮想行列にデータを輸入する時、先ず前記周期的フィードバックレポート論理ユニット中の第１位置要素を第１仮想行列の最後の行から始めて行数が逓減する順序に従って逐行に前記一つ目の仮想行列の予定位置に輸入し、その後、前記データ情報論理ユニット中の第１位置要素を前記第１仮想行列の第１行から始めて行数が逓増する順序に従って逐行に前記第１仮想行列に輸入し、もう前記周期的フィードバックレポート論理ユニット中の要素が輸入された位置はスキップし、前記二つ目の仮想行列にデータを輸入する時、先ず前記周期的フィードバックレポート論理ユニット中の第２位置要素を前記第２仮想行列の最後の行から始めて行数が逓減する順序に従って逐行に前記二つ目の仮想行列の予定位置に輸入し、その後、前記データ情報論理ユニット中の第２位置要素を前記第２仮想行列の第１行から始めて行数が逓増するする順序に従って逐行に前記第２仮想行列に輸入し、もう前記周期的フィードバックレポート論理ユニット中の要素が輸入された位置はスキップする第４データRead-inサブユニットと、
前記第１仮想行列と前記第２仮想行列中のデータを読み出し、各仮想行列に対して、前記各仮想行列の第１列から始めて逐列に行列中の要素を読み出し、毎列に対して、全部行数が逓増する順序に従って読み出し、読み出した要素において、前記一つ目の仮想行列で読み出した要素は制御とデータ情報論理ユニット中の第１位置要素を構成し、前記二つ目の仮想行列で読み出した要素は制御とデータ情報論理ユニット中の第２位置要素を構成し、各要素に対して、ビットシーケンスの方式によって読み出し、最終、制御とデータ情報ビットシーケンスを得る第４データRead-outサブユニットとを含むことを特徴とする請求項２１に記載の装置。
【発明の詳細な説明】
【技術分野】
【０００１】
本発明はデジタル通信分野に関し、特に、周期的フィードバックレポートを伝送する方法及び装置に関する。
【背景技術】
【０００２】
ロングタームエボリュ−ションシステム（LTE：Long Term Evolution）において、アップリンクが伝送する必要のある制御シグナルには、肯定/否定応答メッセージ（ACK/NACK：Acknowledgement/Negative Acknowledgement）、及びダウンリンク物理チャネル状態を反映する情報（CSI：Channel State Information）の三つの形式であるチャネル品質指示（CQI：Channels quality indication）、プリコーディング行列指示（PMI：Pre-coding Matrix Indicator）、ランク指示（RI：Rank Indicator）がある。
【０００３】
LTEにおいて、チャネル情報のフィードバックは主に、比較的に簡単な単一コードブックを利用するフィードバック方法であり、且つMIMOのプリコーディング伝送技術の性能は、ここでのコードブックフィードバックの精度に更に依存する。
【０００４】
ここで、コードブックによるチャネル情報の量子化フィードバックの基本原理を簡単に説明すると、以下のようになる。
【０００５】
2013543684.tif 000003
【０００６】
2013543684.tif 000004
【０００７】
2013543684.tif 000005
【０００８】
ここで、Rank>1である時、メモリーする必要があるコードワードは全て行列の形式であり、ここで、LTEプロトコルにおけるコードブックはこんなコードブック量子化のフィードバック方法を利用している。LTEダウンリンク４送信アンテナコードブックは表２に示すようになり、実際にはLTEにおいてプリコーディングコードブックとチャネル 情報量子化コードブックの意味は同じである。以下に、統一のために、ベクトルも一つの次元が１である行列にすることができる。
【０００９】
2013543684.tif 000006
【００１０】
2013543684.tif 000007
【００１１】
上に説明したのは、全てLTEにおけるコードブックフィードバック技術の原理であり、利用する時には、もっと具体的なフィードバック方法が必要する。
【００１２】
先ずチャネル情報のフィードバック粒度に対して説明する。LTEの標準において、チャネル情報の最も小さいフィードバック単位はサブバンド（Subband）チャネル情報であり、一つのサブバンドはいくつのRB（Resource Block、リソースブロック）で構成され、各RBは複数のRE（Resource Element、リソース要素）で構成され、REはLTEにおける時間周波数リソースの最小単位であり、LTE-AにはLTEのリソース表現方法を踏襲する。いくつのSubbandはMulti−Subbandと呼ぶことができ、多くのSubbandはWideband（広帯域）と呼ぶことができる。
【００１３】
以下に、LTEでチャネル情報と関連するフィードバック内容に対して説明する。チャネル状態情報フィードバックは、チャネル品質指示（Channel quality indication、以下CQIと略称）情報と、PMIと、ランク指示（Rank Indicator、以下RIと略称）とを含む。ここで最も重要なCSI内容はPMI情報であるが、RIとCQIもチャネル状態情報フィードバックの内容に属する。
【００１４】
CQIは、ダウンリンクチャネル品質を評価する一つの指標である。３６−２１３プロトコルにおいて、CQIは０〜１５の整数値によって表示され、不同なCQIレベルをそれぞれ代表し、不同なCQIはそれぞれの変調方式とコーディングレート(MCS)に対応される。
【００１５】
RIは、空間独立チャネルの数を説明することに利用され、チャネル応答行列のランク（Rank）に対応される。開ループ空間多重化と閉ループ空間多重化モードにはUEがRI情報をフィードバックすることを必要とするが、他のモードにはRI情報をフィードバックすることを必要としない。チャネル行列のランクと層数は対応する。
【００１６】
LTEシステムにおいて、ACK/NACK応答メッセージは物理アップリンク制御チャネル（PUCCH：Physical Uplink Control）でフォーマット1/1a/1b（PUCCH format1/1a1/b）によって伝送される。もし端末（UE：User Equipment）がアップリンクデータを送信する必要があると、物理アップリンク共有チャネル（PUSCH：Physical Uplink Shared Channel）で伝送し、CQI/PMI、RIのフィードバックは周期的なフィードバックであることができ、また非周期的なフィードバックであることもできる。表３は周期的フィードバックと非周期的フィードバックの対応するアップリンク物理チャネルを示す。
【００１７】
2013543684.tif 000008
【００１８】
ここで、周期的フィードバックするCQI/PMI、RIにおいて、もしUEがアップリンクデータを送信する必要がないと、周期的フィードバックするCQI/PMI、RIはPUCCHでフォーマット2/2a/2b（PUCCH format2/2a/2b）によって伝送され、もしUEがアップリンクデータを送信する必要があると、CQI/PMI、RIはPUSCHで伝送される。非周期的フィードバックするCQI/PMI、RIは、PUSCHでだけ伝送される。
【００１９】
図１は、LTEシステムにおいてアップリンク制御シグナルがPUSCHで伝送されることを示す図であり、PUSCHではアップリンクデータとアップリンク制御情報が伝送される。ここで、アップリンク制御情報はCQI、PMI、RIと、ACK/NACKを含む。
【００２０】
図２は、LTEシステムにおけるPUSCH伝送方式を示す図であり、図に示すように、アップリンクデータは先ずスクランブリング、変調、プリコーディング伝送等の処理を行った後、REマッピングを行ってSC-FDMA信号を生成する。PUSCHはシングルアンテナの形式によって伝送するから、PUSCHは一つの伝送ブロックにだけ対応し、該伝送ブロックはチャネルコーディングを経てコードワードストリームを形成する。即ち、LTEシステムにおいてPUSCHは一つのコードワードストリームだけ持つ。
【００２１】
2013543684.tif 000009
【００２２】
2013543684.tif 000010
【００２３】
LTEのエボリュ−ション標準としてのロングタームエボリュ−ションアドバンストシステム（LTE-A：Long Term Evolution Advanced）は、更に大きい伝送速度をアップリンクすることを支援し、だからPUSCHの伝送は空間多重化の形式を支援する。空間多重化形式を利用して伝送するPUSCHにおいて、関連技術によると、コードワードストリームから層へのマッピングの関係と、LTEシステムにおいてダウンリンク伝送する時のコードワードストリームから層へのマッピングは同じであるということを分かることができ、具体的なマッピング過程は表５に示すようになる。
【００２４】
2013543684.tif 000011
【００２５】
2013543684.tif 000012
【００２６】
現在、関連技術は、LTE-AシステムにおいてPUCCHで、RIとPMI-1のジョイントコーディングインデックス、RIとPTIのジョイントコーディングインデックス、PMI-1と、PMI-2をどう伝送するかということを十分に考慮した。しかし関連技術は、どうPUSCHで周期的フィードバックレポート（例えば、RIとPMI-1のジョイントコーディングインデックス、RIとPTIのジョイントコーディングインデックス、PMI-1と、PMI-2等）を伝送するかということは考慮しなかった。だから、LTE-Aシステムにおいて、PUSCHで周期的フィードバックレポートを伝送することができない。
【発明の概要】
【発明が解決しようとする課題】
【００２７】
本発明は、周期的フィードバックレポートを伝送する方法と装置を提供して、前記LTE-AシステムにおいてPUSCHを利用して周期的フィードバックレポートを伝送できない問題を解決することをその主要目的とする。
【課題を解決する手段】
【００２８】
本発明の一態様によると、周期的フィードバックレポートを伝送する方法を提供した。該方法は、伝送する必要がある周期的フィードバックレポート及び伝送ブロックの対応するデータ情報に対してそれぞれコーディングするステップと、ターゲット長さに基づいて相応するコーディング後の情報をインターセプトするステップと、一つの伝送ブロックが単層或は複数層に対応される時、伝送ブロックで伝送待機中の単層或は複数層上のコーディング後の情報をチャネルインターリービングし、インターリービング後の情報を物理アップリンク共有チャネルPUSCHの対応する層で伝送するステップとを含み、ここで、周期的フィードバックレポートは、ランク指示情報RIと第１プリコーディング指示情報PMI-1のジョイントコーディングインデックス、RIとプリコーディングタイプ指示情報PTIのジョイントコーディングインデックス、PMI-1のうち一つを含む。
【００２９】
前記伝送ブロックで伝送待機中の単層或は複数層上のコーディング後の情報をチャネルインターリービングし、インターリービング後の情報を物理アップリンク共有チャネルPUSCHの対応する層で伝送するステップは、伝送する周期的フィードバックレポートを一つのサブフレームの二つのタイムスロットにマッピングし、周期的フィードバックレポートは一つのサブフレームの特定位置の直交周波数分割多重OFDMシンボルにマッピングされ、ここで、特定位置OFDMは、復調基準信号の所在OFDMシンボルと一つのOFDMシンボルを間隔する隣接するOFDMシンボルを指すステップを含み、
【００３０】
単階層或は複数階層上のコーディング後の情報は、周期的フィードバックレポートのコーディング後の情報と、データ情報のコーディング後の情報と周期的フィードバックレポートのコーディング後の情報の組み合わせと、のうち一つを含む。
【００３１】
伝送する必要がある周期的フィードバックレポート及び伝送ブロックの対応するデータ情報に対してそれぞれコーディングするステップは、伝送する必要がある周期的フィードバックレポートを確定し、周期的フィードバックレポートを伝送する伝送ブロックを選択し、確定した周期的フィードバックレポート及び選択した伝送ブロックの対応するデータ情報に対してそれぞれコーディングするステップを含み、ここで、伝送ブロックは現在のアップリンクチャネルが配置した伝送ブロックであり、伝送ブロックは一つ或は二つであり、各伝送ブロックでは全て対応するデータ情報がある。
【００３２】
前記確定した周期的フィードバックレポート及び選択した伝送ブロック情報に対してそれぞれコーディングした後、該方法は、周期的フィードバックレポートのコーディング後の情報と伝送ブロックの対応するデータのコーディング後の情報を変調シンボルの形式で周期的フィードバックレポート論理ユニットとデータ情報論理ユニットを生成するステップを更に含み、前記伝送ブロックで伝送待機中の単階層或は複数階層上のコーディング後の情報をチャネルインターリービングするステップは、各伝送ブロック上の周期的フィードバックレポート論理ユニットとデータ情報論理ユニットをチャネルインターリービングして、制御とデータ情報ビットシーケンスを得るステップを含む。
【００３３】
インターリービング後の情報をPUSCHの対応する階層で伝送するステップは、もし選択した伝送ブロックが一つであれば、伝送ブロック上の制御とデータ情報ビットシーケンスをPUSCHの対応する階層で伝送し、もし選択した伝送ブロックが二つであれば、一つ目の伝送ブロック上の制御とデータ情報ビットシーケンスをPUSCHで一つ目の伝送ブロックの対応する階層で伝送し、二つ目の伝送ブロック上の制御とデータ情報ビットシーケンスをPUSCHで二つ目の伝送ブロックの対応する階層で伝送するステップを含む。
【００３４】
各伝送ブロック上の周期的フィードバックレポート論理ユニットとデータ情報論理ユニットをチャネルインターリービングして、制御とデータ情報ビットシーケンスを得るステップは、伝送ブロックがPUSCHで伝送される時の対応する伝送階層の数が１である時、周期的レポート論理ユニットとデータ情報論理ユニットをチャネルインターリービングして、制御とデータ情報ビットシーケンスを得るステップを含む。
【００３５】
周期的レポート論理ユニットとデータ情報論理ユニットをチャネルインターリービングして制御とデータ情報ビットシーケンスを得るステップは、周期的レポート論理ユニットとデータ情報論理ユニットの総数に基づいて一つの仮想行列を生成し、仮想行列にデータを輸入する時、先ず周期的レポート論理ユニット中の要素を仮想行列の最後の行から始めて行数が逓減する順序に従って逐行に仮想行列の予定位置に輸入し、何れかの行に対して、予定位置の列において左側から右側への順序に従って輸入し、データ情報論理ユニット中の要素を仮想行列の第１行から始めて行数が逓増する順序に従って逐行に仮想行列に輸入し、何れかの行に対して、左側から右側への順序に従って、もう周期的レポート論理ユニット中の要素が輸入された位置を除いた全ての位置に輸入し、仮想行列中のデータを読み出す時、仮想行列の第１列から始めて逐列に該行列中の要素を読み出し、また毎列に対して全部行数が逓増する順序に従って読み出し、各要素に対して全部ビットシーケンスの方式によって読み出し、最終、制御とデータ情報ビットシーケンスを得るステップを含む。
【００３６】
2013543684.tif 000013
【００３７】
各伝送ブロック上の周期的フィードバックレポート論理ユニットとデータ情報論理ユニットをチャネルインターリービングして、制御とデータ情報ビットシーケンスを得るステップは、伝送ブロックがPUSCHで伝送される時の対応する伝送階層の数が２である時、周期的フィードバックレポート論理ユニットとデータ情報論理ユニットに基づいて周期的フィードバックレポート論理ブロックユニットとデータ情報論理ブロックユニットを生成し、周期的フィードバックレポート論理ブロックユニットとデータ情報論理ブロックユニットの総数に基づいて一つの仮想行列を生成し、仮想行列にデータを輸入する時、先ず周期的フィードバックレポート論理ブロックユニット中の要素を仮想行列の最後の行から始めて行数が逓減する順序に従って逐行に仮想行列の予定位置に輸入し、その後、データ情報論理ブロックユニット中の要素を仮想行列の第１行から始めて行数が逓増する順序に従って逐行に仮想行列に輸入し、もう周期的フィードバックレポート論理ブロックユニット中の要素が輸入された位置はスキップし、仮想行列中のデータを読み出す時、仮想行列の第１列から始めて逐列に該行列中の要素を読み出し、また毎列に対して全部行数が逓増する順序に従って読み出し、各要素に対して全部ビットシーケンスの方式によって読み出し、最終、制御とデータ情報ビットシーケンスを得るステップを含む。
【００３８】
周期的フィードバックレポート論理ユニットとデータ情報論理ユニットに基づいて、周期的フィードバックレポート論理ブロックユニットとデータ情報論理ブロックユニットを生成するステップは、周期的フィードバックレポート論理ユニット中の第１位置要素で一つ目の周期的フィードバックレポート論理サブユニットを構成し、周期的フィードバックレポート論理ユニット中の第２位置要素で二つ目の周期的フィードバックレポート論理サブユニットを構成し、データ情報論理ユニット中の第１位置要素で一つ目のデータ情報論理サブユニットを構成し、データ情報論理ユニット中の第２位置要素で二つ目のデータ情報論理サブユニットを構成し、一つ目と二つ目の周期的フィードバックレポート論理サブユニットで周期的フィードバックレポート論理ブロックユニットを構成し、一つ目と二つ目のデータ情報論理サブユニットでデータ情報論理ブロックユニットを構成するステップを含む。
【００３９】
2013543684.tif 000014
【００４０】
各伝送ブロック上の周期的フィードバックレポート論理ユニットとデータ情報論理ユニットをチャネルインターリービングして、制御とデータ情報ビットシーケンスを得るステップは、伝送ブロックがPUSCHで伝送される時の対応する伝送階層の数が２である時、周期的フィードバックレポート論理ユニットとデータ情報論理ユニットの総数に基づいて、一つの仮想行列を生成し、仮想行列にデータを輸入する時、先ず周期的フィードバックレポート論理ユニット中の第１位置要素を仮想行列の最後から二つ目の行から始めて隔行に仮想行列の予定位置に輸入し、その後、データ情報論理ユニット中の第１位置要素を仮想行列の第１行から始めて隔行に仮想行列に輸入し、またもう周期的フィードバックレポート論理ユニット中の要素が輸入された位置はスキップする方式によって、周期的フィードバックレポート論理ユニットとデータ情報論理ユニット中の第１位置要素を仮想行列に輸入し、仮想行列中のデータを読み出す時、仮想行列の第１列から始めて逐列に行列中の要素を読み出し、また毎列に対して全部行数が逓増する順序に従って読み出し、各要素に対してビットシーケンスの方式によって読み出し、最終、制御とデータ情報ビットシーケンスを得るステップを含む。
【００４１】
2013543684.tif 000015
【００４２】
各伝送ブロック上の周期的フィードバックレポート論理ユニットとデータ情報論理ユニットをチャネルインターリービングして、制御とデータ情報ビットシーケンスを得るステップは、伝送ブロックがPUSCHで伝送される時の対応する伝送階層の数が２である時、周期的フィードバックレポート論理ユニットとデータ情報論理ユニットの総数に基づいて二つの仮想行列を生成し、それぞれ第１仮想行列と第２仮想行列であり、一つ目の仮想行列にデータを輸入する時、先ず周期的フィードバックレポート論理ユニット中の第１位置要素を第１仮想行列の最後の行から始めて行数が逓減する順序に従って逐行に一つ目の仮想行列の予定位置に輸入し、その後、データ情報論理ユニット中の第１位置要素を第１仮想行列の第１行から始めて行数が逓増する順序に従って逐行に第１仮想行列に輸入し、もう周期的フィードバックレポート論理ユニット中の要素が輸入された位置はスキップし、二つ目の仮想行列にデータを輸入する時、先ず周期的フィードバックレポート論理ユニット中の第２位置要素を第２仮想行列の最後の行から始めて行数が逓減する順序に従って逐行に二つ目の仮想行列の予定位置に輸入し、その後、データ情報論理ユニット中の第２位置要素を第２仮想行列の第１行から始めて行数が逓増する順序に従って逐行に第２仮想行列に輸入し、もう周期的フィードバックレポート論理ユニット中の要素が輸入された位置はスキップし、第１仮想行列と第２仮想行列中のデータを読み出す時、各仮想行列に対して各仮想行列の第１列から始めて逐列に行列中の要素を読み出し、毎列に対して全部行数が逓増する順序に従って読み出し、読み出した要素において、一つ目の仮想行列で読み出した要素は制御とデータ情報論理ユニット中の第１位置要素を構成し、二つ目の仮想行列で読み出した要素は制御とデータ情報論理ユニット中の第２位置要素を構成し、各要素に対してビットシーケンスの方式によって読み出し、最終、制御とデータ情報ビットシーケンスを得るステップを含む。
【００４３】
2013543684.tif 000016
【００４４】
第１位置要素と第２位置要素は以下の組み合わせのうち一つである。第１位置要素は、対応する論理ユニット中の前半部分要素を指し、第２位置要素は、対応する論理ユニット中の後半部分要素を指す、第１位置要素は、対応する論理ユニット中の後半部分要素を指し、第２位置要素は、対応する論理ユニット中の前半部分要素を指す、対応する論理ユニット中の要素番号が０から始まる時、第１位置要素は、対応する論理ユニット中の偶数要素を指し、第２位置要素は、対応する論理ユニット中の奇数要素を指す、対応する論理ユニット中の要素番号が１から始まる時、第１位置要素は、対応する論理ユニット中の奇数要素を指し、第２位置要素は、対応する論理ユニット中の偶数要素を指す。
【００４５】
本発明の他の一態様によると、周期的フィードバックレポートを伝送する装置を提供し、該装置は、伝送する必要がある周期的フィードバックレポート及び伝送ブロックが対応するデータ情報に対してそれぞれコーディングし、ターゲット長さに基づいて相応するコーディング後の情報をインターセプトするコーディングモジュールと、一つの伝送ブロックが単階層或は複数階層に対応される時、伝送ブロックで伝送待機中の単階層或は複数階層上のコーディング後の情報をチャネルインターリービングし、インターリービング後の情報を物理アップリンク共有チャネルPUSCHの対応する階層で伝送する伝送モジュールとを含み、ここで、周期的フィードバックレポートは、ランク指示情報RIと第１プリコーディング指示情報PMI-1のジョイントコーディングインデックス、RIとプリコーディングタイプ指示情報PTIのジョイントコーディングインデックス、PMI-1のうち一つを含む。
【００４６】
前記伝送モジュールは、伝送する周期的フィードバックレポートを一つのサブフレームの二つのタイムスロットにマッピングし、周期的フィードバックレポートは一つのサブフレームの特定位置の直交周波数分割多重OFDMシンボルにマッピングされ、特定位置OFDMは、復調基準信号の所在OFDMシンボルと一つのOFDMシンボルを間隔する隣接するOFDMシンボルを指すマッピングユニットを含む。
【００４７】
前記コーディングモジュールは、伝送する必要がある周期的フィードバックレポートを確定する確定ユニットと、周期的フィードバックレポートを伝送する伝送ブロックを選択する選択ユニットと、確定した周期的フィードバックレポート及び選択した伝送ブロックが対応するデータ情報に対してそれぞれコーディングするコーディングユニットとを含み、ここで、伝送ブロックは現在のアップリンクチャネルが配置した伝送ブロックであり、伝送ブロックは一つ或は二つであり、各伝送ブロックには全て対応するデータ情報がある。
【００４８】
前記装置は、コーディングユニットがコーディングした後の周期的フィードバックレポートと伝送ブロックが対応するデータ情報を変調シンボルの形式で周期的フィードバックレポート論理ユニットとデータ情報論理ユニットを生成する生成ユニットを更に含み、伝送モジュールは、各伝送ブロック上の生成ユニットが生成した周期的フィードバックレポート論理ユニットとデータ情報論理ユニットをチャネルインターリービングして、制御とデータ情報ビットシーケンスを得るシーケンス取得ユニットを含む。
【００４９】
前記伝送モジュールは、もし選択ユニットが選択した伝送ブロックが一つであれば、シーケンス取得ユニットが取得した伝送ブロック上の制御とデータ情報ビットシーケンスをPUSCHの対応する階層で伝送する第１伝送ユニットと、もし選択ユニットが選択した伝送ブロックが二つであれば、シーケンス取得ユニットが取得した一つ目の伝送ブロック上の制御とデータ情報ビットシーケンスをPUSCHで一つ目の伝送ブロックの対応する階層で伝送し、シーケンス取得ユニットが取得した二つ目の伝送ブロック上の制御とデータ情報ビットシーケンスをPUSCHで二つ目の伝送ブロックの対応する階層で伝送する第２伝送ユニットとを含む。
【００５０】
前記シーケンス取得ユニットは、伝送ブロックがPUSCHで伝送される時の対応する伝送階層の数が１である時、周期的レポート論理ユニットとデータ情報論理ユニットをチャネルインターリービングして、制御とデータ情報ビットシーケンスを得るシーケンス取得サブユニットを含む。
【００５１】
前記シーケンス取得サブユニットは、周期的レポート論理ユニットとデータ情報論理ユニットの総数に基づいて一つの仮想行列を生成する第１行列生成サブユニットと、第１行列生成サブユニットが生成した仮想行列にデータを輸入する時、先ず周期的レポート論理ユニット中の要素を仮想行列の最後の行から始めて行数が逓減する順序に従って逐行に仮想行列の予定位置に輸入し、何れかの行に対して、予定位置の列において左側から右側への順序に従って輸入し、データ情報論理ユニット中の要素を仮想行列の第１行から始めて行数が逓増する順序に従って逐行に仮想行列に輸入し、何れかの行に対して左側から右側への順序に従って、もう周期的レポート論理ユニット中の要素を輸入した位置を除いた全ての位置に輸入する第１データRead-inサブユニットと、第１データRead-inサブユニットが仮想行列中に輸入したデータを読み出す時、仮想行列の第１列から始めて逐列に該行列中の要素を読み出し、毎列に対して全部行数が逓増する順序に従って読み出し、各要素に対して全部ビットシーケンスの方式によって読み出し、最終、制御とデータ情報ビットシーケンスを得る第１データRead-outサブユニットとを含む。
【００５２】
前記シーケンス取得ユニットは、伝送ブロックがPUSCHで伝送される時の対応する伝送階層の数が２である時、周期的フィードバックレポート論理ユニットとデータ情報論理ユニットに基づいて周期的フィードバックレポート論理ブロックユニットとデータ情報論理ブロックユニットを生成し、周期的フィードバックレポート論理ブロックユニットとデータ情報論理ブロックユニットの総数に基づいて、一つの仮想行列を生成する第２行列生成サブユニットと、第２行列生成サブユニットが生成した仮想行列にデータを輸入する時、先ず周期的フィードバックレポート論理ブロックユニット中の要素を仮想行列の最後の行から始めて行数が逓減する順序に従って逐行に仮想行列の予定位置な輸入し、その後、データ情報論理ブロックユニット中の要素を仮想行列の第１行から始めて行数が逓増する順序に従って逐行に仮想行列に輸入し、もう周期的フィードバックレポート論理ブロックユニット中の要素が輸入された位置はスキップする第２データRead-inサブユニットと、第２データRead-inサブユニットが仮想行列に輸入したデータを読み出す時、仮想行列の第１列から始めて逐列に該行列中の要素を読み出し、毎列に対して全部行数が逓増する順序に従って読み出し、各要素に対して全部ビットシーケンスの方式によって読み出し、最終、制御とデータ情報ビットシーケンスを得る第２データRead-outサブユニットとを含む。
【００５３】
前記第２行列生成サブユニットは、周期的フィードバックレポート論理ユニット中の第１位置要素で一つ目の周期的フィードバックレポート論理サブユニットを構成し、周期的フィードバックレポート論理ユニット中の第２位置要素で二つ目の周期的フィードバックレポート論理サブユニットを構成し、データ情報論理ユニット中の第１位置要素で一つ目のデータ情報論理サブユニットを構成し、データ情報論理ユニット中の第２位置要素で二つ目のデータ情報論理サブユニットを構成する構成サブユニットと、構成サブユニット中の一つ目と二つ目の周期的フィードバックレポート論理サブユニットで周期的フィードバックレポート論理ブロックユニットを構成し、構成サブユニット中の一つ目と二つ目のデータ情報論理サブユニットでデータ情報論理ブロックユニットを構成する論理ブロック構成サブユニットとを含む。
【００５４】
前記シーケンス取得ユニットは、伝送ブロックがPUSCHで伝送される時の対応する伝送階層の数が２である時、周期的フィードバックレポート論理ユニットとデータ情報論理ユニットの総数に基づいて一つの仮想行列を生成する第３行列生成サブユニットと、第３行列生成サブユニットが生成した仮想行列にデータを輸入する時、先ず周期的フィードバックレポート論理ユニット中の第１位置要素を仮想行列の最後から二つ目の行から始めて隔行に仮想行列の予定位置に輸入し、その後、データ情報論理ユニット中の第１位置要素を仮想行列の第１行から始めて隔行に仮想行列に輸入し、もう周期的フィードバックレポート論理ユニット中の要素が輸入された位置はスキップする方式によって、周期的フィードバックレポート論理ユニットとデータ情報論理ユニット中の第１位置要素を仮想行列に輸入する第３データRead-inサブユニットと、第３データRead-inサブユニットが仮想行列中に輸入したデータを読み出す時、仮想行列の第１列から始めて逐列に行列中の要素を読み出し、毎列に対して全部行数が逓増する順序に従って読み出し、各要素に対してビットシーケンスの方式によって読み出し、最終、制御とデータ情報ビットシーケンスを得る第３データRead-outサブユニットとを含む。
【００５５】
前記シーケンス取得ユニットは、伝送ブロックがPUSCHで伝送される時の対応する伝送階層の数が２である時、周期的フィードバックレポート論理ユニットとデータ情報論理ユニットの総数に基づいて二つの仮想行列を生成し、それぞれ第１仮想行列と第２仮想行列である第４行列生成サブユニットと、一つ目の仮想行列にデータを輸入する時、先ず周期的フィードバックレポート論理ユニット中の第１位置要素を第１仮想行列の最後の行から始めて行数が逓減する順序に従って逐行に一つ目の仮想行列の予定位置に輸入し、その後、データ情報論理ユニット中の第１位置要素を第１仮想行列の第１行から始めて行数が逓増する順序に従って逐行に第１仮想行列に輸入し、もう周期的フィードバックレポート論理ユニット中の要素が輸入された位置はスキップし、二つ目の仮想行列にデータを輸入する時、先ず周期的フィードバックレポート論理ユニット中の第２位置要素を第２仮想行列の最後の行から始めて行数が逓減する順序に従って逐行に二つ目の仮想行列の予定位置に輸入し、その後、データ情報論理ユニット中の第２位置要素を第２仮想行列の第１行から始めて行数が逓増するする順序に従って逐行に第２仮想行列に輸入し、もう周期的フィードバックレポート論理ユニット中の要素が輸入された位置はスキップする第４データRead-inサブユニットと、第１仮想行列と第２仮想行列中のデータを読み出し、各仮想行列に対して各仮想行列の第１列から始めて逐列に行列中の要素を読み出し、毎列に対して全部行数が逓増する順序に従って読み出し、読み出した要素において、一つ目の仮想行列で読み出した要素は制御とデータ情報論理ユニット中の第１位置要素を構成し、二つ目の仮想行列で読み出した要素は制御とデータ情報論理ユニット中の第２位置要素を構成し、各要素に対してビットシーケンスの方式によって読み出し、最終、制御とデータ情報ビットシーケンスを得る第４データRead-outサブユニットとを含む。
【発明の効果】
【００５６】
本発明によると、周期的フィードバックレポートとデータ情報に対してコーディング及びインターリービング等の処理を行うことによって、PUSCHで周期的フィードバックレポートを伝送できない問題を解決することができる。
【図面の簡単な説明】
【００５７】
ここで説明する図面は本発明を理解するためのもので、本発明の一部を構成し、本発明における実施例と共に本発明を解釈し、本発明を不当に限定するものではない。
【図１】関連技術に係わるLTEシステムにおいてアップリンク制御シグナルがPUSCHで伝送されることを示す図である。
【図２】関連技術に係わるLTEシステムにおいてのPUSCH伝送方式を示す図である。
【図３】本発明の実施例１に係わる周期的フィードバックレポートを伝送する方法のフローチャートである。
【図４】本発明の実施例２に係わる周期的フィードバックレポートを伝送する方法のフローチャートである。
【図５】本発明の実施例３に係わる周期的フィードバックレポートを伝送する方法のフローチャートである。
【図６】本発明の実施例４に係わる周期的フィードバックレポートを伝送する装置のブロック図である。
【発明を実施するための形態】
【００５８】
以下、図面を参照しつつ実施例を結合して本発明を詳しく説明する。ここで、互いに矛盾しないかぎり、本明細書における実施例及び実施例に記載の特徴を互いに結合することができる。
【００５９】
本発明の実施例は、物理アップリンク共有チャネルPUSCHで周期的フィードバックレポートを伝送する方法と装置を提供する。ここで、周期的フィードバックレポートはアップリンク制御シグナルRIとPMI-1のジョイントコーディングインデックス、RIとPTIのジョイントコーディングインデックス、PMI-1等のうち一つを含む。そしてLTE-AシステムでPUSCHが空間分割多重化を利用する或は空間多重化を利用しない時、PUSCHでアップリンク制御シグナルを伝送することができない問題が解決できる。
【００６０】
以下に、ダブルコードブックであるPMI-1とPMI-2の関連概念に対して簡単に説明する。
ロングタームエボリュ−ションアドバンスト(Long Term Evolution Advanced、LTE-A)システムは、LTEのエボリュ−ション標準として更に大きいシステム帯域幅(最高に100MHz可能)を支援し、LTE既存の標準との下位互換性を備える。更に高いセル平均スペクトル効率を取得し、またセルエッジのカバレッジとスループットを向上させるために、LTE-Aは、既存のLTEシステムに基づいて、ダウンリンクは最多に８個のアンテナまで支援し、またコードブックのフィードバックにおいていくつかのフィードバックを強化する技術を提出しているが、主にコードブックのフィードバック精度を高める或はチャネル情報の時間相関性/又は周波数領域の相関性を利用してオーバーヘッドを圧縮する。該技術は、国際移動通信-アドバンス（International Mobile Telecommunications-Advance，IMT-Advance）システムのスペクトル利用率を向上でき、スペクトル資源の不足を緩和できる。同時、８アンテナである時の主な利用は二重偏波であることを考慮して、コードブックの設計と強化も二重偏波チャネルの特徴を十分に考慮しなければならない。
【００６１】
こんなコードブックを強化するフィードバック技術の主な思想は、LTEのフィードバックに対応してPMIフィードバックのオーバーヘッドを増え、また二つのPMIのフィードバックを利用して共にチャネルの状態情報を表示するものであり,主に二つの実現方式を含む。
【００６２】
ダブルコードブックとダブルPMIフィードバックを定義する、或はダブルコードブックと同等なシングルコードブックとダブルPMIフィードバックを定義する。ダブルコードブックとダブルPMIフィードバックを定義することは更に以下のように説明することができる。
【００６３】
１）一つのサブバンドのプリコーディング/フィードバックの結構は二つの行列によって構成される。
２）二つの行列中の各行列は全て一つの単独なコードブックに隷属する。コードブックは基地局とUEが同時に事前に知っているものである。フィードバックしたコードワードは不同な時間と不同なサブバンドで、ある程度の変化があることができる。
３）一つの行列は広帯域、或は長時間チャネルのプロパティを表示し、もう一つの行列は確定された周波数帯或は短時間チャネルのプロパティを表示する。
【００６４】
４）使用される行列コードブックは有限可算出行列集合の形式で表示されるし、またUEと基地局において各行列は全て知り得るのである。
５）ここでの一つの行列は一つの固定的な行列であることができ、フィードバックする必要がなり。こんな場合は、シングルコードブックに退化したことに相当する(高いランクと低いランクの非関連チャネルの状況に使用される可能性がある)。
【００６５】
ここからわかるように、チャネル情報のフィードバックにおいてダブルコードブックを基にする結構を提出した。更に以下のように説明できる。
【００６６】
チャネル情報をフィードバックする必要がある一つのサブバンド或は複数のジョイントサブバンドに対して、UEは基地局へ向かって二つのPMI情報をフィードバックし(ある状況ではフィードバックを利用しないことができる、事前に一つのPMIを固定値に定義して、フィードバックしないことができる)、それぞれPMI-1とPMI-2であり、ここで、PMI-1はコードブックC1中のコードワードW1に対応し、PMI-2はもう一つのコードブックC2中のコードワードW2に対応する。基地局端には同じなC1とC2の情報があり、PMI-1とPMI-2を受信した後、対応するコードブックC1とC2で対応するコードワードW1とW2を探し出し、また約束した函数規則Fによって、W=F（W1，W2）を計算してチャネル情報Wを得る。
【００６７】
上述のダブルコードブックの設計準則はLTE-A中の一種の具体的なコードブック形式である。具体的に実現する時、W1とW2が対応するコードブックだけ定義すればいいが、実際には一つの仮想のWの対応するコードブックが存在し、設計において多くの性能態様の考慮は全てWの対応するコードブックに基づいて考慮したのである。更にコードブックフィードバックの設計は二つの重要な部分があり、一つ目の重要部分は、Wの具体的な結構、オーバーヘッドと、具体的なコードワードであり、ダブルコードブックの性能に直接的に関係し(具体的に定義したフィードバック方式はW1とW2をフィードバックし、Wを直接的にフィードバックしないが)、この部分の考慮はシングルコードブックとダブルコードブックの形式においてお互いに似ている。二つ目の重要部分は、どうにWを二つのコードブックに分割して表示すれば、チャネル時間領域/周波数領域変化の特性にもっとよく適応でき、有効的にオーバーヘッドを節約できるかと言うものである。これはダブルコードブックにおいてのオーバーヘッドを節約する考慮であり、シングルコードブックにおいてはこの態様の考慮がない。
【００６８】
上述のダブルコードブック実現方式を除いて、またダブルコードブック、ダブルPMIを使用してフィードバックするのと等価のシングルコードブックフィードバック方式が存在して、ダブルコードブックと同等なシングルコードブックとダブルPMIフィードバックを定義する。ダブルPMIフィードバックにおいて約束した函数規則Fによって、W=F（PMI-1，PMI-2）を計算してチャネル情報Wを得る。
【００６９】
例を挙げて説明すれば、Rank ＝rにおいて、rは整数であり、前の4Txコードブックと不同な所は、該ダブルコードブックと等価のシングルコードブックを使用してフィードバックする時、フィードバックの対応するコードブック中のコードワードは、二つのPMIのフィードバックでその情報を表示しなければならないことであり、ダブルコードブックと等価のシングルコードブックは、一般に以下の表６に示すように表示することができる。
【００７０】
2013543684.tif 000017
【００７１】
2013543684.tif 000018
【００７２】
2013543684.tif 000019
【００７３】
2013543684.tif 000020
【００７４】
該方式は実際にダブルコードブック  ダブルPMIと等価であり、唯一な不同な所は、該方式中には二つのコードブックC1とC2を定義しない代わりダブルコードブック及びその函数関係が構成するWの対応するコードブックを定義することである。
【００７５】
以下に、RIとPMI-1のジョイントコーディングの概念に対して簡単に説明する。RIとPMI-1のジョイントコーディングは、RIとPMI-1に対して統一コーディングを行うことであり、各ジョイントコーディングインデックスは一つの一つ目のプリコーディングインデックスPMI-1を唯一に指示し、不同なジョイントコーディングインデックス区域（集合）はRIの不同な値を唯一に表示し、少量のコーディングインデックスがデフォルトを表示することを許す。RIとPMI-1のジョイントコーディングインデックスはnビットで表示しなければならなく、nは1より大きい又は等しい正の整数である。
【００７６】
以下の表は、RIとW1のジョイントコーディングインデックスに関する一つの例であり、表８に示すようになる。
【００７７】
2013543684.tif 000021
【００７８】
ここで、PMI-1iはPMI-1=iを表示し、ここでiは０から７までの整数を表示し、インデックスが８から１３までである時、PMI-1はデフォルトになることもできる。
【００７９】
以下に本発明の実施例中の周期的フィードバックレポートに対して簡単に紹介する。LTE-A Release 10では、LTE Rel.8中のPUCCH Mode 2-1 フィードバック  モードに対して拡張を行い、プリコーディング行列は最新のRIレポートに基いて三つのサブフレームレポートによって確定される。レポートのフォーマットは以下のを含む。
【００８０】
一つ目のレポートは、RIと1ビットプリコーディングタイプ指示情報PTIを含む。
【００８１】
二つ目のレポートは、PTI=0である時、PMI-1が報告され、PTI=1である時、広帯域のCQIと広帯域PMI-2等が報告される、二つの状況を含む。三つ目のレポートは、PTI=0である時、広帯域のCQIと広帯域PMI-2が報告され、PTI=1である時、サブバンドCQIとサブバンドPMI-2が報告される、二つの状況を含む。
【００８２】
各レポートは一つのPUCCHを占め、フィードバック周期的レポートに属する。実際に、これらのレポートの中で、RIとPTIを含む一つ目のレポートとPTI=0である時の二つ目のレポートがとても重要であり、他のレポートは全部前記の二つのレポートに依存する。もしこの二つのレポートにエラーが発生すれと、基本的なチャネル情報さえ得なくなる。RIとPTIの一つ目のレポートと、PTI=0である時の二つ目のレポートこそ本発明が伝送する周期的レポートである。
【００８３】
LTE-A Release 10では、LTE Rel.8中のPUCCH Mode 1-1 フィードバック  モードに対して拡張を行い、プリコーディング行列は二つのサブフレームレポートによって確定される。レポートのフォーマットは以下のを含む。
【００８４】
一つ目のレポートは、RIとPTI-1のジョイントコーディングを含む。二つ目のレポートは、広帯域CQIと広帯域PMI-2を含む。
各レポートは一つのPUCCHを占め、フィードバック周期的レポートに属する。実際に、これらのレポートの中で、RIとPTI-1のジョイントコーディングを含む一つ目のレポートがとても重要であり、他のレポートは全部前記のレポートに依存する。もしこのレポートにエラーが発生すれと、基本的なチャネル情報さえ得なくなる。RIとPTI-1のジョイントコーディングの一つ目のレポートこそ本発明が伝送するレポートである。
【００８５】
本発明の実施例において、RIとPMI-1のジョイントインデックスは二つの形式があり、一つの形式は一つのインデックスだけあり、このインデックスはRIの値も確定できればPMI-1の値も確定できる、もう一つの形式は二つのインデックスの組み合わせであり、二つのインデックスの組み合わせの中で一つのインデックスはRIの値を確定し、もう一つのインデックスはPMI-1の値を確定する。
本発明の実施例において、RIとPTIのジョイントインデックスは二つの形式があり、一つの形式は一つのインデックスだけあり、このインデックスはRIの値も確定できればPTIの値も確定できる、もう一つの形式は二つのインデックスの組み合わせであり、二つのインデックスの組み合わせの中で一つのインデックスはRIの値を確定し、もう一つのインデックスはPTIの値を確定する。
【００８６】
実施例１
図３は本発明の実施例に係わる周期的フィードバックレポートを伝送する方法のフローチャートであり、該方法は以下のステップを含む。
ステップS３０２、伝送する必要がある周期的フィードバックレポート及び伝送ブロックの対応するデータ情報に対してそれぞれコーディングする。
ここで、周期的フィードバックレポートは、ランク指示情報RIと第1プリコーディング指示情報PMI-1のジョイントコーディングインデックス、RIとプリコーディングタイプ指示情報PTIのジョイントコーディングインデックスと、PMI-1のうち一つを含む。
【００８７】
コーディングを行う時、以下の方式に基づいて行うことができる。伝送する必要がある周期的フィードバックレポートを確定し、周期的フィードバックレポートを伝送する伝送ブロック即ちターゲット伝送ブロックを選択し、確定した周期的フィードバックレポート及び選択した伝送ブロックの対応するデータ情報に対してそれぞれコーディングを行う。ここで、伝送ブロックは現在のアップリンクチャネルが配置した伝送ブロックであり、伝送ブロックは一つ或は二つであり、各伝送ブロックでは全て対応するデータ情報がある。
【００８８】
本実施例の伝送ブロックの対応するデータ情報を直接に伝送ブロックと呼ぶこともできる。即ち伝送ブロックはデータ情報を指す。
伝送ブロックを選択する方式は、関連技術中の方法を参考することができる。例えば、システムはアップリンクチャネルのためにどんな伝送ブロックを配置したか？、またどんな伝送ブロックを選択してターゲット伝送ブロックにするか？
ステップS３０４、ターゲット長さに基づいて相応するコーディング後の情報をインターセプトする。
【００８９】
ステップS３０６、一つの伝送ブロックが単階層或は複数階層に対応される時、伝送ブロックで伝送待機中の単階層或は複数階層上のコーディング後の情報をチャネルインターリービングする。
【００９０】
単階層或は複数階層上のコーディング後の情報は、コーディング後の周期的フィードバックレポートと、コーディング後の情報データと周期的フィードバックレポートの組み合わせとのうち一つを含む。
ステップS３０８、インターリービング後の情報をPUSCHの対応する階層で伝送する。
【００９１】
本実施例で、チャネルインターリービング処理と伝送処理を行う時、伝送する周期的フィードバックレポートを一つのサブフレームの二つのタイムスロットにマッピングすることができ、周期的フィードバックレポートは一つのサブフレームの特定位置のOFDM(Orthogonal Frequency Division Multiplex, 直交周波数分割多重)シンボルにマッピングされる。該特定位置OFDMは、復調基準信号の所在OFDMシンボルと一つのOFDMシンボルを間隔する隣接するOFDMシンボルを指す。
【００９２】
周期的フィードバックレポートを一つのサブフレームの指定位置OFDMシンボルに置いて伝送することにより、周期的フィードバックレポートがPUSCHでの高い信頼性の伝送も保証すれば、既存システムとの互換性も保証した。
【００９３】
ステップS３０２を行った後、該方法は、コーディング後の周期的フィードバックレポートと伝送ブロックの対応するデータ情報を変調シンボルの形式で周期的フィードバックレポート論理ユニットとデータ情報論理ユニットを生成するステップを更に含むことが好ましい。
【００９４】
相応に、ステップS３０６は、各伝送ブロック上の周期的フィードバックレポート論理ユニットとデータ情報論理ユニットをチャネルインターリービングして、制御とデータ情報ビットシーケンスを得るステップを含む。
【００９５】
ステップS３０８は、もし選択した伝送ブロックが一つであれば、伝送ブロック上の制御とデータ情報ビットシーケンスをPUSCHの対応する階層で伝送し、もし選択した伝送ブロックが二つであれば、一つ目の伝送ブロック上の制御とデータ情報ビットシーケンスをPUSCHで一つ目の伝送ブロックの対応する階層で伝送し、二つ目の伝送ブロック上の制御とデータ情報ビットシーケンスをPUSCHで二つ目の伝送ブロックの対応する階層で伝送するステップを含むことが好ましい。
【００９６】
前記制御とデータ情報ビットシーケンスの取得方式はいろいろがあるが、伝送階層の具体的な数に基づいて具体的な取得方式を確定することができる。例えば、
方式１：伝送ブロックがPUSCHで伝送される時の対応する伝送階層の数が１である時、周期的レポート論理ユニットとデータ情報論理ユニットをチャネルインターリービングして、制御とデータ情報ビットシーケンスを得る。
【００９７】
該方式１の具体的な過程は以下のようになる。。ランク指示論理ユニットとデータ情報論理ユニットの総数に基づいて、一つの仮想行列を生成し、仮想行列にデータを輸入する時、先ず周期的レポート論理ユニット中の要素を仮想行列の最後の行から始めて行数が逓減する順序に従って逐行に仮想行列の予定位置に輸入し、何れかの行に対して、予定位置の列において左側から右側への順序に従って輸入し、データ情報論理ユニット中の要素を仮想行列の一つ目の行から始めて行数が逓増する順序に従って逐行に仮想行列に輸入し、何れかの行に対して左側から右側への順序に従って、もう周期的レポート論理ユニット中の要素を輸入された位置を除いた全ての位置に輸入し、仮想行列中のデータを読み出す時、仮想行列の一つ目の列から始めて逐列に該行列中の要素を読み出し、また毎列に対して全部行数が逓増する順序に従って読み出し、各要素に対して全部ビットシーケンスの方式によって読み出し、最終、制御とデータ情報ビットシーケンスを得る。
【００９８】
2013543684.tif 000022
【００９９】
方式２：伝送ブロックがPUSCHで伝送される時の対応する伝送階層の数が2である時、周期的フィードバックレポート論理ユニットとデータ情報論理ユニットに基づいて周期的フィードバックレポート論理ブロックユニットとデータ情報論理ブロックユニットを生成し、周期的フィードバックレポート論理ブロックユニットとデータ情報論理ブロックユニットの総数に基づいて一つの仮想行列を生成し、仮想行列にデータを輸入する時、先ず周期的フィードバックレポート論理ブロックユニット中の要素を仮想行列の最後の行から始めて行数が逓減する順序に従って逐行に仮想行列の予定位置に輸入し、その後、データ情報論理ブロックユニット中の要素を仮想行列の第１行から始めて行数が逓増する順序に従って逐行に仮想行列に輸入し、もう周期的フィードバックレポート論理ブロックユニット中の要素が輸入された位置はスキップし、仮想行列中のデータを読み出す時、仮想行列の第１列から始めて逐列に該行列中の要素を読み出し、また毎列に対して全部行数が逓増する順序に従って読み出し、各要素に対して全部ビットシーケンスの方式によって読み出し、最終、制御とデータ情報ビットシーケンスを得る。
【０１００】
ここで、周期的フィードバックレポート論理ユニットとデータ情報論理ユニットに基づいて周期的フィードバックレポート論理ブロックユニットとデータ情報論理ブロックユニットを生成するステップは、周期的フィードバックレポート論理ユニット中の第１位置要素で一つ目の周期的フィードバックレポート論理サブユニットを構成し、周期的フィードバックレポート論理ユニット中の第2位置要素で二つ目の周期的フィードバックレポート論理サブユニットを構成し、データ情報論理ユニット中の第１位置要素で一つ目のデータ情報論理サブユニットを構成し、データ情報論理ユニット中の第2位置要素で二つ目のデータ情報論理サブユニットを構成し、一つ目と二つ目の周期的フィードバックレポート論理サブユニットで周期的フィードバックレポート論理ブロックユニットを構成し、 一つ目と二つ目のデータ情報論理サブユニットでデータ情報論理ブロックユニットを構成するステップを含む。
【０１０１】
2013543684.tif 000023
【０１０２】
2013543684.tif 000024
【０１０３】
方式３：伝送ブロックがPUSCHで伝送される時の対応する伝送階層の数が２である時、周期的フィードバックレポート論理ユニットとデータ情報論理ユニットの総数に基づいて一つの仮想行列を生成し、仮想行列にデータを輸入する時、先ず周期的フィードバックレポート論理ユニット中の第１位置要素を仮想行列の最後から二つ目の行から始めて隔行に仮想行列の予定位置に輸入し、その後、データ情報論理ユニット中の第１位置要素を仮想行列の第１行から始めて隔行に仮想行列に輸入し、またもう周期的フィードバックレポート論理ユニット中の要素が輸入された位置はスキップする方式によって、周期的フィードバックレポート論理ユニットとデータ情報論理ユニット中の第１位置要素を仮想行列に輸入し、仮想行列中のデータを読み出す時、仮想行列の第１列から始めて逐列に行列中の要素を読み出し、また毎列に対して全部行数が逓増する順序に従って読み出し、各要素に対してビットシーケンスの方式によって読み出し、最終的に、制御とデータ情報ビットシーケンスを得る。
【０１０４】
2013543684.tif 000025
【０１０５】
方式４：伝送ブロックがPUSCHで伝送される時の対応する伝送階層の数が２である時、周期的フィードバックレポート論理ユニットとデータ情報論理ユニットの総数に基づいて二つの仮想行列を生成し、それぞれ第１仮想行列と第２仮想行列であり、
一つ目の仮想行列にデータを輸入する時、先ず周期的フィードバックレポート論理ユニット中の第１位置要素を第１仮想行列の最後の行から始めて行数が逓減する順序に従って逐行に一つ目の仮想行列の予定位置に輸入し、その後、データ情報論理ユニット中の第１位置要素を第１仮想行列の第１行から始めて行数が逓増する順序に従って逐行に第１仮想行列に輸入し、もう周期的フィードバックレポート論理ユニット中の要素が輸入された位置はスキップし、
二つ目の仮想行列にデータを輸入する時、先ず周期的フィードバックレポート論理ユニット中の第２位置要素を第２仮想行列の最後の行から始めて行数が逓減する順序に従って逐行に二つ目の仮想行列の予定位置に輸入し、その後、データ情報論理ユニット中の第２位置要素を第２仮想行列の第１行から始めて行数が逓増する順序に従って逐行に第２仮想行列に輸入し、もう周期的フィードバックレポート論理ユニット中の要素が輸入された位置はスキップし、
第１仮想行列と第２仮想行列中のデータを読み出す時、各仮想行列に対して各仮想行列の第１列から始めて逐列に行列中の要素を読み出し、毎列に対して全部行数が逓増する順序に従って読み出し、読み出した要素において、一つ目の仮想行列で読み出した要素は制御とデータ情報論理ユニット中の第１位置要素を構成し、二つ目の仮想行列で読み出した要素は制御とデータ情報論理ユニット中の第２位置要素を構成し、各要素に対してビットシーケンスの方式によって読み出し、最終、制御とデータ情報ビットシーケンスを得る。
【０１０６】
2013543684.tif 000026
【０１０７】
前記第１位置要素と第２位置要素は以下の組み合わせのうち一つである。
第１位置要素は、対応する論理ユニット中の前半部分要素を指し、第２位置要素は、対応する論理ユニット中の後半部分要素を指す。
第１位置要素は、対応する論理ユニット中の後半部分要素を指し、第２位置要素は、対応する論理ユニット中の前半部分要素を指す。
【０１０８】
対応する論理ユニット中の要素番号が０から始まる時、第１位置要素は、対応する論理ユニット中の偶数要素を指し、第２位置要素は、対応する論理ユニット中の奇数要素を指す。
対応する論理ユニット中の要素番号が１から始まる時、第１位置要素は、対応する論理ユニット中の奇数要素を指し、第２位置要素は、対応する論理ユニット中の偶数要素を指す。
【０１０９】
本実施例は、周期的フィードバックレポートとデータ情報に対してコーディング及びインターリービング等の処理を行うことによって、LTE-AシステムにおいてのPUSCHで周期的フィードバックレポートを伝送することを実現して、PUSCHで周期的フィードバックレポートを伝送できない問題を解決し、システムを最適化した。
【０１１０】
実施例２
本実施例には二つの伝送ブロックが配置され、また各伝送ブロックに全てデータがある時の状況に対応し、図４は本発明の実施例に係わる周期的フィードバックレポートを伝送する方法のフローチャートである。該周期的フィードバックレポートはPUSCHで伝送が完成され、主に以下のような処理過程を含む(ステップS４０２〜ステップS４０８)。
【０１１１】
ステップS４０２、二つのターゲット伝送ブロックを選択する。
本実施例の現在アップリンクには二つの伝送ブロックがあれば、この二つの伝送ブロックは全部ターゲット伝送ブロックである。
【０１１２】
ステップS４０４、各ターゲット伝送ブロックにおいて、伝送する必要がある周期的フィードバックレポートと伝送ブロックの対応するデータに対してコーディングし、ターゲット長さに基づいて相応するコーディング後の情報をインターセプトする。
【０１１３】
ステップS４０６、各ターゲット伝送ブロックにおいて、コーディング後の周期的フィードバックレポートとデータ情報をチャネルインターリービングして、各ターゲット伝送ブロックの制御とデータ情報ビットシーケンスを得る。
【０１１４】
ステップS４０８、一つの伝送ブロックの対応する制御とデータ情報ビットシーケンスと、もう一つの伝送ブロックの対応する制御とデータ情報ビットシーケンスは、スクランブリング、変調、レイヤマッピング、プリコーディング伝送、プリコーディングを経て、物理リソースにマッピングされ、その後、対応するアンテナポートによって基地局へ送信される。
【０１１５】
本実施例はスクランブリングを更に含み、インターリービングの前に現われる。
ここで、周期的フィードバックレポートはランク指示情報と第1プリコーディング指示情報のジョイントコーディングインデックス、ランク指示情報とプリコーディングタイプ指示情報のジョイントコーディングインデックス、第1プリコーディング指示情報のうち一つを含む。
【０１１６】
本実施例のチャネルインターリービングは、PUSCHに利用されるリソース要素マッピングと結合して、時間優先のマッピングを実現した。そしてこのマッピングは、変調シンボルを送信波形に転換し、同時に伝送する周期的フィードバックレポートが一つのサブフレームの二つのタイムスロットにあり、周期的フィードバックレポートは特定位置のOFDMシンボルにマッピングされることを保証した。特定位置OFDMは復調基準信号の所在OFDMシンボルと一つのOFDMシンボルを間隔する隣接するOFDMシンボルである。
【０１１７】
ステップS４０４を行った後、該方法は、コーディング後の周期的フィードバックレポートと伝送ブロックの対応するデータ情報を変調シンボルの形式で周期的フィードバックレポート論理ユニットとデータ情報論理ユニットを生成するステップを更に含むことが好ましい。
【０１１８】
相応に、ステップS４０６は、各伝送ブロック上の周期的フィードバックレポート論理ユニットとデータ情報論理ユニットをチャネルインターリービングして、制御とデータ情報ビットシーケンスを得るステップを含む。
【０１１９】
2013543684.tif 000027
【０１２０】
サブフレームがノーマルサイクリックプレフィックスを利用する時、仮想行列の列数は１２であり、サブフレームがエクステンドサイクリックプレフィックスを利用する時、仮想行列の列数は１０であり、もし送信する必要がある測定基準信号SRSがあれば、サブフレームがノーマルサイクリックプレフィックスを利用する時、仮想行列の列数は１１であり、サブフレームがエクステンドサイクリックプレフィックスを利用する時、仮想行列の列数は９である。
【０１２１】
データを輸入する時、先ず周期的レポート論理ユニット中の要素を仮想行列の最後の行から始めて行数が逓減する順序に従って逐行に仮想行列の予定位置に輸入し(行数をnと設定すると、即ち輸入の順序は第n行、第n-1行、第n-2行…周期的レポート論理ユニット中の要素を全部輸入し完了するまでである)、即ち現在のサブフレームがノーマルサイクリックプレフィックスを利用する時、周期的レポート論理ユニット中の要素を順序に従って規則に基づいて仮想行列中の列番号が１、４、７、１０である仮想行列の列に輸入し、現在のサブフレームがエクステンドサイクリックプレフィックスを利用する時、周期的レポート論理ユニット中の要素を行数が逓減する順序に従って規則に基づいて仮想行列中の列番号が０、３、５、８である仮想行列の列に輸入し、その後、データ情報論理ユニット中の要素を仮想行列の第１行から始めて行数が逓増する順序に従って逐行に仮想行列に輸入し、ここで、もう周期的レポート論理ユニットが輸入された位置はスキップする。
【０１２２】
仮想行列中のデータを読み出す時、仮想行列の第１列から始めて逐行に該行列中の要素を読み出し、また毎列に対して全部上から下への(即ち、行数が逓増する)順序に従って読み出し、各要素に対して全部ビットシーケンスの方式によって読み出し、最終、制御とデータ情報ビットシーケンスを得る。
【０１２３】
状況２：ターゲット伝送ブロックがPUSCHで伝送される時の対応する伝送階層の数がM=2である時、以下の二つの方法を含む。
【０１２４】
方法１：周期的レポート論理ユニット中の第１位置要素が一つ目のランク指示情報論理サブユニットを構成し、周期的レポート論理ユニット中の第2位置要素が二つ目のランク指示情報論理サブユニットを構成し、データ情報論理ユニット中の第１位置要素が一つ目のデータ情報論理サブユニットを構成し、データ情報論理ユニット中の第2位置要素が二つ目のデータ情報論理サブユニットを構成し、各論理サブユニットで各論理ブロックユニットを構成する。即ち周期的レポート論理ブロックユニットとデータ情報論理ブロックユニットを得る。
【０１２５】
2013543684.tif 000028
【０１２６】
2013543684.tif 000029
【０１２７】
データを輸入する時、先ず周期的レポート論理ブロックユニット中の要素を仮想行列の最後の行から始めて行数が逓減する順序に従って逐行に仮想行列の予定位置輸入し、即ち現在のサブフレームがノーマルサイクリックプレフィックスを利用する時、周期的レポート論理ブロックユニット中の要素を逐行に規則に基づいて仮想行列中の列番号が１、４、７、１０である仮想行列の列に輸入し、現在のサブフレームがエクステンドサイクリックプレフィックスを利用する時、周期的レポート論理ブロックユニット中の要素を逐行に規則に基づいて仮想行列中の列番号が０、３、５、８である仮想行列の列に輸入し、その後、データ情報論理ブロックユニット中の要素を仮想行列の第１行から始めて行数が逓増する順序に従って逐行に仮想行列に輸入し、ここで、もう周期的レポート論理ブロックユニットが輸入された位置はスキップする。
【０１２８】
仮想行列中のデータを読み出す時、仮想行列の第１列から始めて該行列中の要素を逐列に読み出し、また毎列に対して全部上から下への(即ち、行数が逓増する) 順序に従って読み出し、各要素に対して全部ビットシーケンスの方式によって読み出し、最終、制御とデータ情報ビットシーケンスを得る。
【０１２９】
2013543684.tif 000030
【０１３０】
一つ目の仮想行列にデータを輸入する時、先ず周期的レポート論理ユニット中の第１位置要素を第１仮想行列の最後の行から始めて行数が逓減する順序に従って逐行に一つ目の仮想行列の予定位置に輸入し、即ち、現在のサブフレームがノーマルサイクリックプレフィックスを利用する時、 周期的レポート論理ユニット中の第１位置要素を逐行に規則に基づいて第１仮想行列中の列番号が１、４、７、１０である仮想行列の列に輸入し、サブフレームがエクステンドサイクリックプレフィックスを利用する時、周期的レポート論理ユニット中の第１位置要素を逐行に規則に基づいて第１仮想行列中の列番号が０、３、５、８である仮想行列の列に輸入し、その後、データ情報論理ユニット中の第１位置要素を第１仮想行列の第１行から始めて行数が逓増する順序に従って逐行に第１仮想行列に輸入し、また輸入する時、もう周期的レポート論理ユニットが輸入された位置はスキップする。
【０１３１】
同様に、周期的レポート論理ユニット中の第２位置要素を逐行に規則に基づいて第２仮想行列の予定位置に輸入し、データ情報論理ユニット中の第２位置要素を順序に従って二つ目の仮想行列に輸入する。
【０１３２】
データを読み出す時、各仮想行列に対して仮想行列の第1列から始めて逐列に行列中の要素を読み出し、また毎列に対して全部上から下への(即ち、行数が逓増する)順序に従って読み出し、読み出した要素の中、一つ目の仮想行列から読み出した要素は制御とデータ情報論理ユニット中の第１位置要素を構成し、二つ目の仮想行列から読み出した要素は制御とデータ情報論理ユニット中の第２位置要素を構成し、各要素に対してビットシーケンスの方式によって読み出し、最終、制御とデータ情報ビットシーケンスを得る。
【０１３３】
2013543684.tif 000031
【０１３４】
仮想行列にデータを輸入する時、以下の方式によって各論理ユニット中の第１位置要素を前記仮想行列に輸入する。先ず周期的レポート論理ユニット中の第１位置要素を仮想行列の最後から二つ目の行から始めて隔行に仮想行列の予定位置に輸入し(即ち、輸入の順序は第n-1行、第n-3行…周期的レポート論理ユニット中の第１位置要素を輸入し完了するまでである)、その後、データ情報論理ユニット中の第１位置要素を仮想行列の第１行から始めて隔行に仮想行列に輸入し(即ち、輸入の順序は第１行、第３行…データ情報論理ユニット中の第１位置要素を輸入し完了するまでである)、輸入する時、もう周期的レポート論理ユニットが輸入された位置はスキップする。
【０１３５】
仮想行列にデータを輸入する時、以下の方式によって各論理ユニット中の第２位置要素を仮想行列に輸入する。先ず周期的レポート論理ユニット中の第２位置要素を仮想行列の最後の行から始めて隔行に仮想行列の予定位置に輸入し(即ち、輸入の順序は第n行、第n-2行…周期的レポート論理ユニット中の第２位置要素を輸入し完了するまでである)、その後、データ情報論理ユニット中の第２位置要素を仮想行列の第２行から始めて隔行に仮想行列に輸入し(即ち、輸入の順序は第２行、第４行…データ情報論理ユニット中の第２位置要素を輸入し完了するまでである)、輸入する時、もう周期的レポート論理ユニットが輸入された位置はスキップする。
【０１３６】
データを読み出す時、該仮想行列の第１列から始めて列数が逓増する順序に従って行列中の要素を逐列に読み出し、また毎列に対して全部上から下への(即ち、行数が逓増する)順序に従って読み出し、各要素に対してビットシーケンスの方式によって読み出し、最終、制御とデータ情報ビットシーケンスを得る。
【０１３７】
上の状況２において、方法１、方法２、方法３に述べた第１位置要素は、前記論理ユニット中の前半部分要素を指し、第２位置要素は論理ユニット中の後半部分要素を指し、或は第１位置要素は論理ユニット中の後半部分要素を指し、第２位置要素は論理ユニット中の前半部分要素を指し、或は論理ユニット中の要素番号が０から始まる時、第１位置要素は論理ユニット中の偶数要素を指し、第２位置要素は論理ユニット中の奇数要素を指し、或は論理ユニット中の要素番号が１から始める時、第１位置要素は論理ユニット中の奇数要素を指し、第２位置要素は論理ユニット中の偶数要素を指す。
【０１３８】
本実施例は、周期的フィードバックレポートとデータ情報に対してコーディング及びインターリービング等の処理を行うことによって、LTE-AシステムにおいてのPUSCHで周期的フィードバックレポートを伝送することを実現して、PUSCHで周期的フィードバックレポートを伝送できない問題を解決し、システムを最適化した。
【０１３９】
実施例３
本実施例は一つの伝送ブロックだけ配置し、また該データブロックにデータがある状況に対応し、図５は、本発明の実施例による周期的フィードバックレポートを物理アップリンク共有チャネルで伝送する方法のフローチャートである。図５に示すように、本発明の実施例に係わるアップリンク制御シグナルが物理アップリンク共有チャネルで伝送される方法は、主に以下のような処理過程を含む(ステップS５０２〜ステップS５０８)。
【０１４０】
ステップS５０２、伝送する必要があるアップリンク制御シグナルと一つの伝送ブロックの対応するデータ情報に対してコーディングし、ターゲット長さに基づいて相応するコーディング後の情報をインターセプトする。
【０１４１】
ステップS５０４、該伝送ブロック上のデータ論理ユニットとチャネル状態情報論理ユニットをマルチプレクシングして、データ論理ユニットを得る。
ステップS５０６、周期的フィードバックレポートとデータ情報論理ユニットをチャネルインターリービングして、制御とデータ情報ビットシーケンスを得る。
【０１４２】
ステップS５０８、制御とデータ情報ビットシーケンスをスクランブリング、変調、レイヤマッピング、プリコーディング伝送、プリコーディングを行って、物理リソースにマッピングされ、その後、対応するアンテナポートによって基地局へ送信される。
【０１４３】
前記インターリービングの処理は、実施例１或は実施例２中の方式を参考して行うことができる。また本実施例はスクランブリングを更に含み、インターリービングの前に現われる。具体的な処理は、関連技術を参考して実現することができるから、ここでは詳しく説明しない。
【０１４４】
本実施例は、周期的フィードバックレポートとデータ情報に対してコーディング及びインターリービング等の処理を行うことによって、LTE-AシステムにおいてのPUSCHで周期的フィードバックレポートを伝送することを実現して、PUSCHで周期的フィードバックレポートを伝送できない問題を解決し、システムを最適化した。
【０１４５】
実施例４
図６は、本発明の実施例に係わる周期的フィードバックレポートを伝送する装置のブロック図であり、該装置はコーディングモジュール６２と、伝送モジュール６４とを含む。
【０１４６】
コーディングモジュール６２は、伝送する必要がある周期的フィードバックレポート及び伝送ブロックの対応するデータ情報に対してそれぞれコーディングし、ターゲット長さに基づいて相応するコーディング後の情報をインターセプトする。ここで、周期的フィードバックレポートはランク指示情報RIと第１プリコーディング指示情報PMI-1のジョイントコーディングインデックス、RIとプリコーディングタイプ指示情報PTIのジョイントコーディングインデックス、PMI-1のうち一つを含む。
【０１４７】
伝送モジュール６４は、コーディングモジュール６２と接続され、一つの伝送ブロックが単階層或は複数階層に対応される時、伝送ブロックで伝送待機中の単階層或は複数階層上のコーディング後の情報をチャネルインターリービングし、インターリービング後の情報を物理アップリンク共有チャネルPUSCHの対応する階層で伝送する。
【０１４８】
伝送モジュール６４は、マッピングユニットを含むことが好ましい。マッピングユニットは、伝送する周期的フィードバックレポートを一つのサブフレームの二つのタイムスロットにマッピングし、周期的フィードバックレポートは特定位置の直交周波数分割多重OFDMシンボルにマッピングされ、特定位置OFDMは復調基準信号の所在OFDMシンボルと一つのOFDMシンボルを間隔する隣接するOFDMシンボルを指す。
【０１４９】
コーディングモジュール６２は、伝送する必要がある周期的フィードバックレポートを確定する確定ユニットと、周期的フィードバックレポートを伝送する伝送ブロックを選択し、ここで、伝送ブロックは現在のアップリンクチャネルが配置した伝送ブロックであり、伝送ブロックは一つ或は二つであり、各伝送ブロックには全て対応するデータ情報がある選択ユニットと、確定した周期的フィードバックレポート及び選択した伝送ブロックの対応するデータ情報に対して、それぞれコーディングするコーディングユニットを含む。
【０１５０】
選択ユニットが伝送ブロックを選択する際、アップリンクに二つの伝送ブロックが配置されている場合には、当該二つの伝送ブロックを選択し、一つの伝送ブロックが配置されている場合には、当該伝送ブロックを選択する。
該装置は生成ユニットを更に含み、生成ユニットは、コーディングユニットがコーディングした後の周期的フィードバックレポートと伝送ブロックの対応するデータ情報を変調シンボルの形式で周期的フィードバックレポート論理ユニットとデータ情報論理ユニットを生成する。
【０１５１】
相応に伝送モジュール６４はシーケンス取得ユニットを含み、シーケンス取得ユニットは、各伝送ブロック上の生成ユニットが生成した周期的フィードバックレポート論理ユニットとデータ情報論理ユニットをチャネルインターリービングして、制御とデータ情報ビットシーケンスを得る。
【０１５２】
選択ユニットが選択した伝送ブロックの数が異なることによって、伝送モジュール６４は第１伝送ユニットと第２伝送ユニットを含み、第１伝送ユニットは、もし選択ユニットが選択した伝送ブロックが一つであれば、シーケンス取得ユニットが取得した伝送ブロック上の制御とデータ情報ビットシーケンスをPUSCHの対応する階層で伝送し、第２伝送ユニットは、もし選択ユニットが選択した伝送ブロックが二つであれば、シーケンス取得ユニットが取得した一つ目の伝送ブロック上の制御とデータ情報ビットシーケンスをPUSCHで一つ目の伝送ブロックの対応する階層で伝送し、またシーケンス取得ユニットが取得した二つ目の伝送ブロック上の制御とデータ情報ビットシーケンスをPUSCHで二つ目の伝送ブロックの対応する階層で伝送する。
【０１５３】
PUSCHで伝送する時、対応する伝送階層の数に基づいて、制御とデータ情報ビットシーケンスは不同な取得方式があり、具体的な方式は以下のようになる。。
【０１５４】
方式１：前記シーケンス取得ユニットはシーケンス取得サブユニットを含み、シーケンス取得サブユニットは、伝送ブロックがPUSCHで伝送される時の対応する伝送階層の数が１である時、周期的レポート論理ユニットとデータ情報論理ユニットをチャネルインターリービングして、制御とデータ情報ビットシーケンスを得る。
【０１５５】
ここで、シーケンス取得サブユニットは、ランク指示論理ユニットとデータ情報論理ユニットの総数に基づいて一つの仮想行列を生成する第１行列生成サブユニットと、第１行列生成サブユニットが生成した仮想行列にデータを輸入する時、先ず周期的レポート論理ユニット中の要素を仮想行列の最後の行から始めて行数が逓減する順序に従って逐行に仮想行列の予定位置に輸入し、何れかの行に対して、予定位置の列において左側から右側への順序に従って輸入し、データ情報論理ユニット中の要素を仮想行列の第１行から始めて行数が逓増する順序に従って逐行に仮想行列に輸入し、何れかの行に対して、左側から右側への順序に従って、もう周期的レポート論理ユニット中の要素を輸入した位置を除いた全ての位置に輸入する第１データRead-inサブユニットと、第１データRead-inサブユニットが仮想行列の中に輸入したデータを読み出す時、仮想行列の第１列から始めて逐列に該行列中の要素を読み出し、毎列に対して全部行数が逓増する順序に従って読み出し、各要素に対して全部ビットシーケンスの方式によって読み出し、最終、制御とデータ情報ビットシーケンスを得る第１データRead-outサブユニットとを含む。
【０１５６】
方式２：シーケンス取得ユニットは、
伝送ブロックがPUSCHで伝送される時の対応する伝送階層の数が２である時、周期的フィードバックレポート論理ユニットとデータ情報論理ユニットに基づいて周期的フィードバックレポート論理ブロックユニットとデータ情報論理ブロックユニットを生成し、周期的フィードバックレポート論理ブロックユニットとデータ情報論理ブロックユニットの総数に基づいて一つの仮想行列を生成する第２行列生成サブユニットと、
第２行列生成サブユニットが生成した仮想行列にデータを輸入する時、先ず周期的フィードバックレポート論理ブロックユニット中の要素を仮想行列の最後の行から始めて行数が逓減する順序に従って逐行に仮想行列の予定位置に輸入し、その後、データ情報論理ブロックユニット中の要素を仮想行列の第１行から始めて行数が逓増する順序に従って逐行に仮想行列に輸入し、もう周期的フィードバックレポート論理ブロックユニット中の要素が輸入された位置はスキップする第２データRead-inサブユニットと、
第２データRead-inサブユニットが仮想行列の中に輸入したデータを読み出す時、仮想行列の第１列から始めて逐列に該行列中の要素を読み出し、毎列にたいして全部行数が逓増する順序に従って読み出し、各要素に対して全部ビットシーケンスの方式によって読み出し、最終、制御とデータ情報ビットシーケンスを得る第２データRead-outサブユニットとを含む。
【０１５７】
ここで、第２行列生成サブユニットは、周期的フィードバックレポート論理ユニット中の第１位置要素で一つ目の周期的フィードバックレポート論理サブユニットを構成し、周期的フィードバックレポート論理ユニット中の第２位置要素で二つ目の周期的フィードバックレポート論理サブユニットを構成し、データ情報論理ユニット中の第１位置要素で一つ目のデータ情報論理サブユニットを構成し、データ情報論理ユニット中の第２位置要素で二つ目のデータ情報論理サブユニットを構成する構成サブユニットと、構成サブユニット中の一つ目と二つ目の周期的フィードバックレポート論理サブユニットで周期的フィードバックレポート論理ブロックユニットを構成し、構成 サブユニット中の一つ目と二つ目のデータ情報論理サブユニットでデータ情報論理ブロックユニットを構成する論理ブロック構成サブユニットとを含む。
【０１５８】
方式３：シーケンス取得ユニットは、
伝送ブロックがPUSCHで伝送される時の対応する伝送階層の数が２である時、周期的フィードバックレポート論理ユニットとデータ情報論理ユニットの総数に基づいて一つの仮想行列を生成する第３行列生成サブユニットと、
第３行列生成サブユニットが生成した仮想行列にデータを輸入する時、先ず周期的フィードバックレポート論理ユニット中の第１位置要素で仮想行列の最後から二つ目の行から始めて隔行に仮想行列の予定位置に輸入し、その後、データ情報論理ユニット中の第１位置要素を仮想行列の第１行から始めて隔行に仮想行列に輸入し、もう周期的フィードバックレポート論理ユニット中の要素が輸入された位置はスキップする方式によって、周期的フィードバックレポート論理ユニットとデータ情報論理ユニット中の第１位置要素を仮想行列に輸入する第３データRead-inサブユニットと、
第３データRead-inサブユニットが仮想行列の中に輸入したデータを読み出す時、仮想行列の第１列から始めて逐列に行列中の要素を読み出し、毎列に対して全部行数が逓増する順序に従って読み出し、各要素に対してビットシーケンスの方式によって読み出し、最終、制御とデータ情報ビットシーケンスを得る第３データRead-outサブユニットとを含む。
【０１５９】
方式４：シーケンス取得ユニットは、
伝送ブロックがPUSCHで伝送される時の対応する伝送階層の数が２である時、周期的フィードバックレポート論理ユニットとデータ情報論理ユニットの総数に基づいて二つの仮想行列を生成し、それぞれ第１仮想行列と第２仮想行列である第４行列生成サブユニットと、
一つ目の仮想行列にデータを輸入する時、先ず周期的フィードバックレポート論理ユニット中の第１位置要素を第１仮想行列の最後の行から始めて行数が逓減する順序に従って逐行に一つ目の仮想行列の予定位置に輸入し、その後、データ情報論理ユニット中の第１位置要素を第１仮想行列の第１行から始めて行数が逓増する順序に従って逐行に第１仮想行列に輸入し、もう周期的フィードバックレポート論理ユニット中の要素が輸入された位置はスキップし、二つ目の仮想行列にデータを輸入する時、先ず周期的フィードバックレポート論理ユニット中の第２位置要素を第２仮想行列の最後 の行から始めて行数が逓減する順序に従って逐行に二つ目の仮想行列の予定位置に輸入し、その後、データ情報論理ユニット中の第２位置要素を第２仮想行列の第１行から始めて行数が逓増する順序に従って逐行に第２仮想行列に輸入し、もう周期的フィードバックレポート論理ユニット中の要素が輸入された位置はスキップする第４データRead-inサブユニットと、
第１仮想行列と第２仮想行列中のデータを読み出し、各仮想行列に対して各仮想行列の第１列から始めて逐列に行列中の要素を読み出し、毎列に対して全部行数が逓増する順序に従って読み出し、読み出した要素において、一つ目の仮想行列で読み出した要素は制御とデータ情報論理ユニット中の第１位置要素を構成し、二つ目の仮想行列で読み出した要素は制御とデータ情報論理ユニット中の第２位置要素を構成し、各要素に対してビットシーケンスの方式によって読み出し、最終、制御とデータ情報ビットシーケンスを得る第４データRead-outサブユニットとを含む。
【０１６０】
前記伝送する必要がある周期的フィードバックレポートは、ランク指示情報と第１プリコーディング指示情報のジョイントコーディングインデックス、ランク指示情報とプリコーディングタイプ指示情報のジョイントコーディングインデックス、第１プリコーディング指示情報のうち一つを含む。
【０１６１】
更に、伝送モジュール６４は、ターゲット伝送ブロック上の周期的フィードバックレポート論理ユニットとデータ情報論理ユニットをチャネルインターリービングして、制御とデータ情報ビットシーケンスを得る。
【０１６２】
伝送モジュール６４は、PUSCHに利用されるリソース要素マッピングと結合して、時間優先のマッピングを実現した。そしてこのマッピングは、変調シンボルを送信波形に転換し、同時に伝送する周期的フィードバックレポートが一つのサブフレームの二つのタイムスロットにあり、前記の周期的フィードバックレポートは特定位置のOFDMシンボルにマッピングされることを保証した。前記の特定位置OFDMは復調基準信号の所在OFDMシンボルと一つのOFDMシンボルを間隔する隣接するOFDMシンボルである。
【０１６３】
周期的フィードバックレポートを一つのサブフレームの指定位置OFDMシンボルに置いて伝送することにより、周期的フィードバックレポートがPUSCHでの高い信頼性の伝送も保証すれば、既存システムとの互換性も保証した。
【０１６４】
本実施例は、周期的フィードバックレポートとデータ情報に対してコーディング及びインターリービング等の処理を行うことによって、LTE-AシステムにおいてのPUSCHで周期的フィードバックレポートを伝送することを実現して、PUSCHで周期的フィードバックレポートを伝送できない問題を解決し、システムを最適化した。
【０１６５】
以上の説明のように、本発明は以下のような技術効果を実現した。本実施例は周期的フィードバックレポートとデータ情報に対してコーディング及びインターリービング等の処理を行うことによって、LTE-AシステムにおいてのPUSCHで周期的フィードバックレポートを伝送することを実現した。LTE-AシステムにおいてPUSCHが空間分割多重化方式を利用しても、PUSCHでアップリンク制御シグナルが伝送できる。またPUSCHで周期的フィードバックレポートを伝送できないできない問題を解決し、システムを最適化した。
【０１６６】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。 
【０１６７】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013543684.tif 000036
【図２】
2013543684.tif 000037
【図３】
2013543684.tif 000038
【図４】
2013543684.tif 000039
【図５】
2013543684.tif 000040
【図６】
2013543684.tif 000041
【国際調査報告】
2013543684.tif 000042
2013543684.tif 000043
2013543684.tif 000044
2013543684.tif 000045